(57)【要約】【課題】簡便な構成で漏液判定の信頼性を向上させる。【解決手段】一対の導電線６１，６２からなり、漏液が接触すると電流が流れる漏液検知帯６０と、漏液検知帯６０に接続されて印加電圧が所定の電圧値に達すると導通する定電圧素子Ｄを有するノードＮＤとを含む漏液検知ユニットＵを１つ又は複数直列に接続した漏液検知部７０と、電源８１と、電流センサ８２と、電流センサ８２で検出した入力電流値から漏液の発生を判定する判定部９０と、を備え、漏液検知部７０は、漏液検知ユニットＵが入力電圧値に応じて導通する特性を有し、判定部９０は、電流センサ８２で検出した入力電流値から漏液の発生を判定する。【選択図】図１
2019219351.tif 000002
【特許請求の範囲】
【請求項１】
一対の導電線からなり、導電線間に漏液が接触すると電流が流れる漏液検知帯と、前記漏液検知帯に接続されて印加電圧が所定の電圧値に達すると導通する定電圧素子を有するノードと、を含む漏液検知ユニットを１つ又は複数直列に接続した漏液検知部と、
前記漏液検知部の始端に接続される電源と、
前記漏液検知部の前記始端の入力電流値を検出する電流検出部と、
前記電流検出部で検出した前記入力電流値から漏液の発生を判定する判定部と、を備え、
前記漏液検知部は、
各前記漏液検知ユニットが入力電圧値に応じて導通する特性を有し、
前記判定部は、
前記電流検出部で検出した前記入力電流値から漏液の発生を判定すること、
を特徴とする漏液検出装置。
【請求項２】
請求項１に記載の漏液検出装置であって、
前記漏液検知ユニットの前記ノードは、
一対の始端側端子と、
前記漏液検知部の一対の前記導電線がそれぞれ接続される一対の末端側端子と、
前記始端側端子と前記末端側端子とを並列に接続する一対の接続線と、を含み、
前記定電圧素子は、いずれか一方または両方の接続線に介在して配置されていること、
を特徴とする漏液検出装置。
【請求項３】
請求項１または２に記載の漏液検出装置であって、
前記電源は、前記漏液検知部の前記始端に所定の電圧値の待機電圧を印加し、
前記判定部は、前記電流検出部で検出した前記入力電流値と、所定の閾値とを比較することで、少なくとも１つの前記漏液検知ユニットでの漏液の発生を判定すること、
を特徴とする漏液検出装置。
【請求項４】
請求項１または２に記載の漏液検出装置であって、
前記電源は、前記判定部から入力される電圧指令値に応じた電圧を出力し、
前記判定部は、前記電源に出力する前記電圧指令値を待機電圧値の前後で変動させて前記漏液検知部の前記入力電圧値を前記待機電圧値の前後で変動させ、
前記電圧指令値または前記入力電圧値と前記電流検出部で検出した前記入力電流値とから計算されるコンダクタンスまたは抵抗値と、所定の閾値とを比較することで、少なくとも１つの前記漏液検知ユニットで漏液が発生したことを判定すること、
を特徴とする漏液検出装置。
【請求項５】
請求項１または２に記載の漏液検出装置であって、
前記電源は、前記判定部から入力される電圧指令値に応じた電圧を出力し、
前記判定部は、前記電源に出力する前記電圧指令値を掃引して前記漏液検知部の前記入力電圧値を掃引して、各前記漏液検知ユニットを前記始端に接続された順に導通させ、
前記電圧指令値または前記入力電圧値と前記電流検出部で検出した前記入力電流値から計算されるコンダクタンスまたは抵抗値と所定の閾値とを比較することで、導通状態の前記漏液検知ユニットの内、少なくとも１つの前記漏液検知ユニットで漏液が発生したことを判定すること、
を特徴とする漏液検出装置。
【請求項６】
請求項１または２に記載の漏液検出装置であって、
前記電源は、前記判定部から入力される電圧指令値に応じた電圧を出力し、
前記判定部は、前記電源に出力する前記電圧指令値を掃引して前記漏液検知部の前記入力電圧値を掃引して、各前記漏液検知ユニットを前記始端に接続された順に導通させ、
前記漏液検知部の前記始端から一の前記漏液検知ユニットまでの範囲を導通状態にした場合に前記電流検出部で検出した前記入力電流値と、前記範囲の内、一の前記漏液検知ユニット以外の範囲を導通状態にした場合に前記電流検出部で検出した前記入力電流値と、を用いて、一の前記漏液検知ユニットのコンダクタンスを算出し、
算出した前記コンダクタンスを所定の閾値と比較することで、漏液の発生した前記漏液検知ユニットを特定すること、
を特徴とする漏液検出装置。
【請求項７】
請求項１から６のいずれか１項に記載の漏液検出装置であって、
前記漏液検知部は、前記漏液検知ユニットの前記導電線間に接続した断線検知素子を有し、
前記電源は、前記漏液検知部の前記始端に所定の電圧値の入力電圧を印加し、
前記判定部は、前記電流検出部で検出した前記入力電流値を、所定の閾値と比較することで、前記漏液検知部で断線が発生していることを検知すること、
を特徴とする漏液検出装置。
【請求項８】
請求項１から６のいずれか１項に記載の漏液検出装置であって、
前記漏液検知部は、前記漏液検知ユニットの前記導電線間に接続した断線検知素子を有し、
前記電源は、前記判定部から入力される電圧指令値に応じた電圧を出力し、
前記判定部は、前記電源に出力する前記電圧指令値を掃引して前記漏液検知部の前記入力電圧値を掃引して、各前記漏液検知ユニットを前記始端に接続された順に導通させ、
前記漏液検知部の前記始端から一の前記漏液検知ユニットまでの範囲を導通状態にした場合に前記電流検出部で検出した前記入力電流値と、前記範囲の内、一の前記漏液検知ユニット以外の範囲を導通状態にした場合に前記電流検出部で検出した前記入力電流値と、を用いて、一の前記漏液検知ユニットのコンダクタンスを算出し、
算出した前記コンダクタンスを所定の閾値と比較することで、断線の発生した前記漏液検知ユニットを特定すること、
を特徴とする漏液検出装置。
【請求項９】
一対の導電線からなり、導電線間に漏液が接触すると電流が流れる漏液検知帯と、前記漏液検知帯に接続されて印加電圧が所定の電圧値に達すると導通する定電圧素子を有するノードと、を含む漏液検知ユニットを１つ又は複数直列に接続し、末端の前記導電線の間に抵抗器を接続した漏液検知部と、
前記漏液検知部の始端に接続される電源と、
前記漏液検知部の前記始端の入力電圧値を検出する電圧検出部と、
前記電圧検出部で検出した前記入力電圧値から漏液の発生を判定する判定部と、を備え、
前記漏液検知部は、
各前記漏液検知ユニットが前記入力電圧値に応じて導通する特性を有し、
前記判定部は、
前記電圧検出部で検出した前記入力電圧値から漏液の発生を判定すること、
を特徴とする漏液検出装置。
【請求項１０】
請求項９に記載の漏液検出装置であって、
前記漏液検知ユニットの前記ノードは、
一対の始端側端子と、
前記漏液検知部の一対の前記導電線がそれぞれ接続される一対の末端側端子と、
前記始端側端子と前記末端側端子とを並列に接続する一対の接続線と、を含み、
前記定電圧素子は、いずれか一方または両方の接続線に介在して配置されていること、
を特徴とする漏液検出装置。
【請求項１１】
請求項９または１０に記載の漏液検出装置であって、
前記電源は、所定の電流値の待機電流を前記漏液検知部に入力し、
前記判定部は、前記電圧検出部で検出した前記入力電圧値を所定の閾値と比較することで漏液の発生を判定すること、
を特徴とする漏液検出装置。
【請求項１２】
請求項９または１０に記載の漏液検出装置であって、
前記電源は、前記判定部から入力される電流指令値に応じた電流を出力し、
前記判定部は、前記電源に出力する前記電流指令値を待機電流値の前後で変動させて前記漏液検知部の入力電流値を前記待機電流値の前後で変動させ、
前記電流指令値または前記入力電流値と前記電圧検出部で検出した前記入力電圧値とから計算されるコンダクタンスまたは抵抗値と、所定の閾値とを比較することで、少なくとも１つの前記漏液検知ユニットで漏液が発生したことを判定すること、
を特徴とする漏液検出装置。
【請求項１３】
請求項９または１０に記載の漏液検出装置であって、
前記電源は、前記判定部から入力される電流指令値に応じた電流を出力し、
前記判定部は、前記電源に出力する前記電流指令値を掃引して前記漏液検知部の入力電流値を掃引し、各前記漏液検知ユニットを前記始端に接続された順に導通させ、
前記電流指令値または前記入力電流値と前記電圧検出部で検出した前記入力電圧値とから計算されるコンダクタンスまたは抵抗値と所定の閾値とを比較することで、導通状態の前記漏液検知ユニットの内、少なくとも１つの前記漏液検知ユニットで漏液が発生したことを判定すること、
を特徴とする漏液検出装置。
【請求項１４】
請求項９または１０に記載の漏液検出装置であって、
前記電源は、前記判定部から入力される電流指令値に応じた電流を出力し、
前記判定部は、前記電源に出力する前記電流指令値を掃引して前記漏液検知部の入力電流値を掃引し、各前記漏液検知ユニットを前記始端に接続された順に導通させ、
前記漏液検知部の前記始端から一の前記漏液検知ユニットまでの範囲を導通状態にした場合に前記電圧検出部で検出した前記入力電圧値と、前記範囲の内、一の前記漏液検知ユニット以外の範囲を導通状態にした場合に前記電圧検出部で検出した前記入力電圧値と、を用いて、一の前記漏液検知ユニットのコンダクタンスを算出し、
算出した前記コンダクタンスを所定の閾値と比較することで、漏液の発生した前記漏液検知ユニットを特定すること、
を特徴とする漏液検出装置。
【請求項１５】
請求項９から１４のいずれか１項に記載の漏液検出装置であって、
前記漏液検知部は、前記漏液検知ユニットの前記導電線間に接続した断線検知素子を有し、
前記電源は、所定の電流値の入力電流を前記漏液検知部に入力し、
前記判定部は、前記電圧検出部で検出した前記入力電圧値を、所定の閾値と比較することで前記漏液検知部で断線が発生していることを検知すること、
を特徴とする漏液検出装置。
【請求項１６】
請求項９から１４のいずれか１項に記載の漏液検出装置であって、
前記漏液検知部は、前記漏液検知ユニットの前記導電線間に接続した断線検知素子を有し、
前記電源は、前記判定部から入力される電流指令値に応じた電流を出力し、
前記判定部は、前記電源に出力する前記電流指令値を掃引して前記漏液検知部の入力電流値を掃引し、各前記漏液検知ユニットを前記始端に接続された順に導通させ、
前記漏液検知部の前記始端から一の前記漏液検知ユニットまでの範囲を導通状態にした場合に前記電圧検出部で検出した前記入力電圧値と、前記範囲の内、一の前記漏液検知ユニット以外の範囲を導通状態にした場合に前記電圧検出部で検出した前記入力電圧値と、を用いて、一の前記漏液検知ユニットのコンダクタンスを算出し、
算出した前記コンダクタンスを所定の閾値と比較することで、断線の発生した前記漏液検知ユニットを特定すること、
を特徴とする漏液検出装置。
【請求項１７】
請求項１から１６のいずれか１項に記載の漏液検出装置であって、
前記漏液検知ユニットの前記定電圧素子は、正方向の立ち上がり電圧値と負方向の立ち上がり電圧値とが異なり、
前記電源が交流電源であり、
前記判定部は、前記電源から出力される交流電流の正方向の通電電荷量と負方向の通電電荷量とを等しくすること、
を特徴とする漏液検出装置。
【請求項１８】
請求項１から１６のいずれか１項に記載の漏液検出装置であって、
一対の前記導電線からなり、前記導電線の間に漏液が接触すると電流が流れる始端側漏液検知帯を含み、
前記電源は、前記始端側漏液検知帯を介して前記漏液検知部の前記始端に接続されていること、
を特徴とする漏液検出装置。
【発明の詳細な説明】
【技術分野】
【０００１】
本発明は、漏液検出装置の構造、特に、定電圧素子を用いた漏液検出装置の構造に関する。
【背景技術】
【０００２】
空調機器等からの漏液発生を検知する方法として、二本の導線を非導通の状態で並列配置した漏液検出帯に電流を流し、二本の導線の間に漏液が入り込んだ際の短絡を検知することにより漏液を検知する方法が用いられている。
【０００３】
しかし、このような漏液検知方法では漏液の検知を行うことはできても漏液発生箇所を検出することができない。そこで、複数の抵抗素子が導線を介して直列に接続された検知センサと、検知センサと並列配置された導線とを終端抵抗で接続した検出帯を用い、漏液による検出帯の通電抵抗の変化により漏液発生箇所を検出する漏液位置検知器が提案されている（例えば、特許文献１参照）。
【０００４】
また、二本のセンサコードを並列に配置し、センサコードの両端にそれぞれ定電流電源を接続し、センサコードの両端の電圧差に基づいて漏液発生箇所を検知する漏液検知器が提案されている（例えば、特許文献２参照）。
【先行技術文献】
【特許文献】
【０００５】
【特許文献１】実開昭６３−１０１８４２号公報
【特許文献２】特開平３−９２５６号公報
【発明の概要】
【発明が解決しようとする課題】
【０００６】
ところで、抵抗値は、抵抗に微小な電圧を印加した際の電流値を検出することによって検出される場合が多い。特許文献１に記載された漏液検知器の検知センサは、複数の固定抵抗を直列に接続したものであり、電源に近い位置で漏液が発生した場合には検出電流値の変化が大きいが、電源から遠い位置で漏液が発生した場合には検出電流値の変化が小さくなる。漏液が発生した際の水の通電抵抗は常に一定とは限らず、通電抵抗の変化によって検出電流値も変化する。電源から遠い位置で漏液が発生した場合には、検出電流値の変化が水の通電抵抗のバラつきによる電流値の変化に埋もれてしまい、漏液発生箇所の検出が困難となる場合があった。
【０００７】
また、特許文献２に記載された漏液検知器では、センサコードの両端に定電流電源を接続する必要がある上、電圧差を差動アンプで検出することから構成が複雑になってしまうという問題があった。
【０００８】
そこで、本発明は簡便な構成で漏液判定の信頼性を向上させることを目的とする。
【課題を解決するための手段】
【０００９】
本発明の漏液検出装置は、一対の導電線からなり、導電線間に漏液が接触すると電流が流れる漏液検知帯と、前記漏液検知帯に接続されて印加電圧が所定の電圧値に達すると導通する定電圧素子を有するノードと、を含む漏液検知ユニットを１つ又は複数直列に接続した漏液検知部と、前記漏液検知部の始端に接続される電源と、前記漏液検知部の前記始端の入力電流値を検出する電流検出部と、前記電流検出部で検出した前記入力電流値から漏液の発生を判定する判定部と、を備え、前記漏液検知部は、各前記漏液検知ユニットが入力電圧値に応じて導通する特性を有し、前記判定部は、前記電流検出部で検出した前記入力電流値から漏液の発生を判定すること、を特徴とする。
【００１０】
これにより、本発明は簡便な構成で漏液判定の信頼性を向上させることができる。
【００１１】
本発明の漏液検出装置において、前記漏液検知ユニットの前記ノードは、一対の始端側端子と、前記漏液検知部の一対の前記導電線がそれぞれ接続される一対の末端側端子と、前記始端側端子と前記末端側端子とを並列に接続する一対の接続線と、を含み、前記定電圧素子は、いずれか一方または両方の接続線に介在して配置されていることとしてもよい。
【００１２】
このように、検出対象の液体に応じてノードの定電圧素子の配置を様々に変更することができるので、検出対象の液体に応じた漏液検出を行うことができる。
【００１３】
本発明の漏液検出装置において、前記電源は、前記漏液検知部の前記始端に所定の電圧値の待機電圧を印加し、前記判定部は、前記電流検出部で検出した前記入力電流値と、所定の閾値とを比較することで、少なくとも１つの前記漏液検知ユニットでの漏液の発生を判定すること、としてもよい。
【００１４】
このように、待機電圧値を所定の電圧値とする簡便な構成で、短時間で漏液の発生の判定を行うことができる。
【００１５】
本発明の漏液検出装置において、前記電源は、前記判定部から入力される電圧指令値に応じた電圧を出力し、前記判定部は、前記電源に出力する前記電圧指令値を待機電圧値の前後で変動させて前記漏液検知部の前記入力電圧値を前記待機電圧値の前後で変動させ、前記電圧指令値または前記入力電圧値と前記電流検出部で検出した前記入力電流値とから計算されるコンダクタンスまたは抵抗値と、所定の閾値とを比較することで、少なくとも１つの前記漏液検知ユニットで漏液が発生したことを判定すること、としてもよい。
【００１６】
このように、漏液検知部の入力電圧値を待機電圧値の前後で変動させることによってコンダクタンスまたは抵抗値を算出し、これにより漏液の判定を行うので、入力電流値と異なる物理量によって漏液の判定を行うことができる。
【００１７】
本発明の漏液検出装置において、前記電源は、前記判定部から入力される電圧指令値に応じた電圧を出力し、前記判定部は、前記電源に出力する前記電圧指令値を掃引して前記漏液検知部の前記入力電圧値を掃引して、各前記漏液検知ユニットを前記始端に接続された順に導通させ、前記電圧指令値または入力電圧値と前記電流検出部で検出した前記入力電流値とから計算されるコンダクタンスまたは抵抗値と所定の閾値とを比較することで、導通状態の前記漏液検知ユニットの内、少なくとも１つの前記漏液検知ユニットで漏液が発生したことを判定すること、としてもよい。
【００１８】
このように、漏液検知部の入力電圧値を掃引することによってコンダクタンスまたは抵抗値を算出し、これにより漏液の判定を行うので、入力電流値と異なる物理量によって漏液の判定を行うことができる。
【００１９】
本発明の漏液検出装置において、前記電源は、前記判定部から入力される電圧指令値に応じた電圧を出力し、前記判定部は、前記電源に出力する前記電圧指令値を掃引して前記漏液検知部の前記入力電圧値を掃引して、各前記漏液検知ユニットを前記始端に接続された順に導通させ、前記漏液検知部の前記始端から一の前記漏液検知ユニットまでの範囲を導通状態にした場合に前記電流検出部で検出した前記入力電流値と、前記範囲の内、一の前記漏液検知ユニット以外の範囲を導通状態にした場合に前記電流検出部で検出した前記入力電流値と、を用いて、一の前記漏液検知ユニットのコンダクタンスを算出し、算出した前記コンダクタンスを所定の閾値と比較することで、漏液の発生した前記漏液検知ユニットを特定すること、としてもよい。
【００２０】
このように、漏液検知部の入力電圧値を掃引し、漏液検知ユニットを始端に接続された順に導通させて、各漏液検知ユニットのコンダクタンスを算出し、計算したコンダクタンスを所定の閾値と比較するので、漏液の発生した漏液検知ユニットを特定することができる。これにより、簡便な構成によって漏液箇所の検出信頼性を向上させることができる。
【００２１】
本発明の漏液検出装置において、前記漏液検知部は、前記漏液検知ユニットの前記導電線間に接続した断線検知素子を有し、前記電源は、前記漏液検知部の前記始端に所定の電圧値の入力電圧を印加し、前記判定部は、前記電流検出部で検出した前記入力電流値を、所定の閾値と比較することで、前記漏液検知部で断線が発生していることを検知すること、としてもよい。
【００２２】
これにより、簡便な構成で漏液検知部の断線を検知することができる。
【００２３】
本発明の漏液検知装置において、前記漏液検知部は、前記漏液検知ユニットの前記導電線間に接続した断線検知素子を有し、前記電源は、前記判定部から入力される電圧指令値に応じた電圧を出力し、前記判定部は、前記電源に出力する前記電圧指令値を掃引して前記漏液検知部の前記入力電圧値を掃引して、各前記漏液検知ユニットを前記始端に接続された順に導通させ、前記漏液検知部の前記始端から一の前記漏液検知ユニットまでの範囲を導通状態にした場合に前記電流検出部で検出した前記入力電流値と、前記範囲の内、一の前記漏液検知ユニット以外の範囲を導通状態にした場合に前記電流検出部で検出した前記入力電流値と、を用いて、一の前記漏液検知ユニットのコンダクタンスを算出し、算出した前記コンダクタンスを所定の閾値と比較することで、断線の発生した前記漏液検知ユニットを特定すること、としてもよい。
【００２４】
これにより、簡便な構成で断線の発生した漏液検知ユニットを特定することができる。
【００２５】
本発明の漏液検出装置は、一対の導電線からなり、導電線間に漏液が接触すると電流が流れる漏液検知帯と、前記漏液検知帯に接続されて印加電圧が所定の電圧値に達すると導通する定電圧素子を有するノードと、を含む漏液検知ユニットを１つ又は複数直列に接続し、末端の前記導電線の間に抵抗器を接続した漏液検知部と、前記漏液検知部の始端に接続される電源と、前記漏液検知部の前記始端の入力電圧値を検出する電圧検出部と、前記電圧検出部で検出した前記入力電圧値から漏液の発生を判定する判定部と、を備え、前記漏液検知部は、各前記漏液検知ユニットが前記入力電圧値に応じて導通する特性を有し、前記判定部は、前記電圧検出部で検出した前記入力電圧値から漏液の発生を判定すること、を特徴とする。
【００２６】
これにより、本発明は簡便な構成で漏液判定の信頼性を向上させることができる。
【００２７】
本発明の漏液検出装置において、前記電源は、所定の電流値の待機電流を前記漏液検知部に入力し、前記判定部は、前記電圧検出部で検出した前記入力電圧値を所定の閾値と比較することで漏液の発生を判定すること、としてもよい。
【００２８】
このように、待機電流値を所定の電流値とする簡便な構成で、短時間で漏液の発生の判定を行うことができる。
【００２９】
本発明の漏液検出装置において、前記電源は、前記判定部から入力される電流指令値に応じた電流を出力し、前記判定部は、前記電源に出力する前記電流指令値を待機電流値の前後で変動させて前記漏液検知部の入力電流値を前記待機電流値の前後で変動させ、前記電流指令値または前記入力電流値と前記電圧検出部で検出した前記入力電圧値とから計算されるコンダクタンスまたは抵抗値と、所定の閾値とを比較することで、少なくとも１つの前記漏液検知ユニットで漏液が発生したことを判定すること、としてもよい。
【００３０】
このように、漏液検知部の入力電流値を待機電流値の前後で変動させることによってコンダクタンスまたは抵抗値を算出し、これにより漏液の判定を行うので、入力電圧値と異なる物理量によって漏液の判定を行うことができる。
【００３１】
本発明の漏液検出装置において、前記電源は、前記判定部から入力される電流指令値に応じた電流を出力し、前記判定部は、前記電源に出力する前記電流指令値を掃引して前記漏液検知部の入力電流値を掃引し、各前記漏液検知ユニットを前記始端に接続された順に導通させ、前記電流指令値または前記入力電流値と前記電圧検出部で検出した前記入力電圧値とから計算されるコンダクタンスまたは抵抗値と所定の閾値とを比較することで、導通状態の前記漏液検知ユニットの内、少なくとも１つの前記漏液検知ユニットで漏液が発生したことを判定すること、としてもよい。
【００３２】
このように、漏液検知部の入力電流値を掃引することによってコンダクタンスまたは抵抗値を算出し、これにより漏液の判定を行うので、入力電圧値と異なる物理量によって漏液の判定を行うことができる。
【００３３】
本発明の漏液検出装置において、前記電源は、前記判定部から入力される電流指令値に応じた電流を出力し、前記判定部は、前記電源に出力する前記電流指令値を掃引して前記漏液検知部の入力電流値を掃引し、各前記漏液検知ユニットを前記始端に接続された順に導通させ、前記漏液検知部の前記始端から一の前記漏液検知ユニットまでの範囲を導通状態にした場合に前記電圧検出部で検出した前記入力電圧値と、前記範囲の内、一の前記漏液検知ユニット以外の範囲を導通状態にした場合に前記電圧検出部で検出した前記入力電圧値と、を用いて、一の前記漏液検知ユニットのコンダクタンスを算出し、算出した前記コンダクタンスを所定の閾値と比較することで、漏液の発生した前記漏液検知ユニットを特定すること、としてもよい。
【００３４】
このように、漏液検知部の入力電流値を掃引し、漏液検知ユニットを前記始端に接続された順に導通させて、各漏液検知ユニットのコンダクタンスを算出し、計算したコンダクタンスを所定の閾値と比較するので、漏液の発生した漏液検知ユニットを特定することができる。これにより、簡便な構成によって漏液箇所の検出信頼性を向上させることができる。
【００３５】
本発明の漏液検出装置において、前記漏液検知部は、前記漏液検知ユニットの前記導電線間に接続した断線検知素子を有し、前記電源は、所定の電流値の入力電流を前記漏液検知部に入力し、前記判定部は、前記電圧検出部で検出した前記入力電圧値を、所定の閾値と比較することで前記漏液検知部で断線が発生していることを検知すること、としてもよい。
【００３６】
これにより、簡便な構成で漏液検知部の断線を検知することができる。
【００３７】
本発明の漏液検出装置において、前記漏液検知部は、前記漏液検知ユニットの前記導電線間に接続した断線検知素子を有し、前記電源は、前記判定部から入力される電流指令値に応じた電流を出力し、前記判定部は、前記電源に出力する前記電流指令値を掃引して前記漏液検知部の入力電流値を掃引し、各前記漏液検知ユニットを前記始端に接続された順に導通させ、前記漏液検知部の前記始端から一の前記漏液検知ユニットまでの範囲を導通状態にした場合に前記電圧検出部で検出した前記入力電圧値と、前記範囲の内、一の前記漏液検知ユニット以外の範囲を導通状態にした場合に前記電圧検出部で検出した前記入力電圧値と、を用いて、一の前記漏液検知ユニットのコンダクタンスを算出し、算出した前記コンダクタンスを所定の閾値と比較することで、断線の発生した前記漏液検知ユニットを特定すること、としてもよい。
【００３８】
これにより、簡便な構成で断線の発生した漏液検知ユニットを特定することができる。
【００３９】
本発明の漏液検出装置において、前記漏液検知ユニットの前記定電圧素子は、正方向の立ち上がり電圧値と負方向の立ち上がり電圧値とが異なり、前記電源が交流電源であり、前記判定部は、前記電源から出力される交流電流の正方向の通電電荷量と負方向の通電電荷量とを等しくしてもよい。
【００４０】
これにより、漏液が発生した際に漏液検知帯の電蝕の発生を抑制することができる。
【００４１】
本発明の漏液検出装置において、一対の前記導電線からなり、前記導電線の間に漏液が接触すると電流が流れる始端側漏液検知帯を含み、前記電源は、前記始端側漏液検知帯を介して前記漏液検知部の前記始端に接続されていること、としてもよい。
【００４２】
これにより、漏液検知部と電源との間での漏液を検知することができる。
【発明の効果】
【００４３】
本発明は、簡便な構成で漏液判定の信頼性を向上させることができる。
【図面の簡単な説明】
【００４４】
【図１】実施形態の漏液検出装置の構成を示す系統図である。
【図２】図１に示す漏液検出装置の漏液検知ユニットの構成を示す系統図である。
【図３】理想的なツェナーダイオードを逆直列に接続した定電圧素子の電圧に対する電流の特性を示すグラフである。
【図４】図１に示す漏液検出装置の漏液検知ユニットＵｍで漏液が発生した場合の電流の流れを示す系統図である。
【図５】図１に示す漏液検出装置において、入力電圧値を上昇させた際の各漏液検知ユニットに印加される電圧値を示すグラフである。
【図６】図１に示す漏液検出装置において、入力電圧値を待機電圧値とした際の各漏液検知ユニットに印加される電圧値を示すグラフである。
【図７】図１に示す漏液検出装置に入力される３種類の入力電圧値の時間変化を示すグラフである。
【図８】図１に示す漏液検出装置における漏液の発生した場合と漏液の発生がない場合の入力電圧値の変化に対する入力電流値の変化特性（ＶＩ特性）と、漏液の発生による入力電流値の変化とを示すグラフである。
【図９】図１に示す漏液検出装置における漏液の発生した場合と漏液の発生がない場合の入力電圧値の変化に対する入力電流値の変化特性（ＶＩ特性）と、漏液が発生した際に入力電圧を待機電圧値の前後で変動させた際の入力電流値の変化を示すグラフである。
【図１０】図１に示す漏液検出装置における漏液の発生した場合と漏液の発生がない場合の入力電圧値の変化に対するコンダクタンスの変化特性（ＶＧ特性）と、漏液の発生によるコンダクタンスの変化とを示すグラフである。
【図１１】図１に示す漏液検出装置の漏液検知ユニットＵｍで漏液が発生した場合の電流の流れを示す系統図である。
【図１２】図１に示す漏液検出装置の漏液検知ユニットＵｍで漏液が発生した場合と漏液の発生がない場合の入力電圧値の変化に対する入力電流値の変化特性（ＶＩ特性）と、入力電圧値を掃引した際の各漏液検知ユニットにおける入力電圧値の変化に対する入力電流値の変化と、導通範囲の変化とを示すグラフである。
【図１３】図１２に示すＶＩ特性に基づいて計算した入力電圧値に対するコンダクタンスの変化（ＶＧ特性）を示すグラフである。
【図１４】図１３に示す特性から求めた各漏液検知ユニットのコンダクタンスを示すグラフである。
【図１５】図１に示す漏液検出装置の２つの漏液検知ユニットＵ２、Ｕｍで漏液が発生した場合の電流の流れを示す系統図である。
【図１６】図１に示す漏液検出装置の２つの漏液検知ユニットＵ２、Ｕｍで漏液が発生した場合と漏液の発生がない場合の入力電圧値の変化に対する入力電流値の変化特性（ＶＩ特性）と、入力電圧値を掃引した際の各漏液検知ユニットにおける入力電圧値の変化に対する入力電流値の変化と、導通範囲の変化とを示すグラフである。
【図１７】図１６に示すＶＩ特性に基づいて計算した入力電圧値に対するコンダクタンスの変化（ＶＧ特性）を示すグラフである。
【図１８】図１７に示す特性から求めた各漏液検知ユニットのコンダクタンスを示すグラフである。
【図１９】他の実施形態の漏液検出装置の構成を示す系統図である。
【図２０】図１９に示す漏液検出装置の漏液検知ユニットＵｍで漏液が発生した場合の電流の流れを示す系統図である。
【図２１】図１９に示す漏液検出装置に入力される３種類の入力電流値の時間変化を示すグラフである。
【図２２】図１９に示す漏液検出装置の漏液検知ユニットＵｍで漏液が発生した場合の入力電圧の変化と各漏液検知ユニットに印加される電圧を示すグラフである。
【図２３】図１９に示す漏液検出装置の漏液検知ユニットＵｍで漏液が発生した場合と漏液の発生がない場合の入力電流値の変化に対する入力電圧値の変化特性（ＩＶ特性）と、漏液の発生による入力電圧値の変化とを示すグラフである。
【図２４】電圧センサで検出した入力電圧値と漏液の発生した漏液検知ユニット番号との対照表の例である。
【図２５】図１９に示す漏液検出装置の漏液検知ユニットＵｍで漏液が発生した場合と漏液の発生がない場合の入力電流値の変化に対する入力電圧値の変化特性（ＩＶ特性）と、漏液が発生した際に入力電流を待機電流値の前後で変動させた際の入力電圧値の変化を示すグラフである。
【図２６】図１９に示す漏液検出装置の漏液検知ユニットＵｍで漏液が発生した場合と漏液の発生がない場合の入力電流値の変化に対するコンダクタンスの変化特性（ＩＧ特性）と、漏液の発生によるコンダクタンスの変化とを示すグラフである。
【図２７】図１９に示す漏液検出装置の漏液検知ユニットＵｍで漏液が発生した場合の電流の流れを示す系統図である。
【図２８】図１９に示す漏液検出装置に入力する入力電流値を掃引した際の入力電流値と入力電圧値の時間変化を示すグラフである。
【図２９】図１９に示す漏液検出装置の漏液検知ユニットＵｍで漏液が発生した場合と漏液の発生がない場合の入力電圧値の変化に対する入力電流値の変化特性（ＶＩ特性）と、入力電流値を掃引した際の各漏液検知ユニットにおける入力電圧値の変化に対する入力電流値の変化と、導通範囲の変化とを示すグラフである。
【図３０】図２９に示すＶＩ特性に基づいて計算した入力電圧値に対するコンダクタンスの変化（ＶＧ特性）を示すグラフである。
【図３１】図３０に示す特性から求めた各漏液検知ユニットのコンダクタンスを示すグラフである。
【図３２】図１９に示す漏液検出装置の漏液検知ユニットＵ２、Ｕｍで漏液が発生した場合の電流の流れを示す系統図である。
【図３３】図１９に示す漏液検出装置の漏液検知ユニットＵ２、Ｕｍで漏液が発生した場合と漏液の発生がない場合の入力電圧値の変化に対する入力電流値の変化特性（ＶＩ特性）と、入力電流値を掃引した際の各漏液検知ユニットにおける入力電圧値の変化に対する入力電流値の変化と、導通範囲の変化とを示すグラフである。
【図３４】図３３に示すＶＩ特性に基づいて計算した入力電圧値に対するコンダクタンスの変化（ＶＧ特性）を示すグラフである。
【図３５】図３４に示す特性から求めた各漏液検知ユニットのコンダクタンスを示すグラフである。
【図３６】図１、図１９に示す実施形態の漏液検出装置において、末端の漏液検知ユニットＵＮｅｎｄに断線検知素子を接続した他の実施形態の漏液検出装置の系統図である。
【図３７】図３６に示す漏液検出装置における断線の発生した場合と断線の発生がない場合の入力電圧値の変化に対する入力電流値の変化特性（ＶＩ特性）と、漏液の発生による入力電流値の変化とを示すグラフである。
【図３８】図３６に示す漏液検出装置における断線の発生した場合と断線の発生がない場合の入力電圧値の変化に対する入力電流値の変化特性（ＶＩ特性）と、漏液の発生による入力電圧値の変化とを示すグラフである。
【図３９】図１、図１９に示す実施形態の漏液検出装置において、各漏液検知ユニットＵ１〜ＵＮｅｎｄにそれぞれ断線検知素子を接続した他の実施形態の漏液検出装置の系統図である。
【図４０】図３９に示す漏液検出装置における断線の発生した場合と断線の発生がない場合の入力電圧値の変化に対する入力電流値の変化特性（ＶＩ特性）と、漏液の発生によるＶＩ特性の変化とを示すグラフである。
【図４１】図４０に示すＶＩ特性に基づいて計算した入力電圧値に対するコンダクタンスの変化（ＶＧ特性）を示すグラフである。
【図４２】図４１に示す特性から求めた各漏液検知ユニットのコンダクタンスを示すグラフである。
【図４３】入力電圧値、入力電流値を掃引する際の他の入力電圧値、他の入力電流値の変化を示す図である。
【図４４】図１、図１９に示す漏液検出装置に適用されるノードの他の例を示す説明図である。
【図４５】正方向の立ち上がり電圧値と負方向の立ち上がり電圧値とが異なる定電圧素子の電圧に対する電流の特性を示す図である。
【図４６】図４５に示す電圧電流特性を有する定電圧素子を用いて他の実施形態の漏液検出装置を構成した場合の電源の出力電流の波形を示す図である。
【図４７】他の実施形態の漏液検出装置を示す系統図である。
【図４８】他の実施形態の漏液検出装置を示す系統図である。
【発明を実施するための形態】
【００４５】
＜第１実施形態の漏液検出装置１００の構成＞
以下、図面を参照しながら実施形態の漏液検出装置１００について説明する。図１に示すように、漏液検出装置１００は、漏液検知部７０と、漏液検知部７０の始端７１に接続された電源８１と、漏液検知部７０の入力電流値を検出する電流検出部である電流センサ８２と、電流センサ８２によって検出した入力電流値に基づいて漏液の判定を行う判定部９０とで構成される。
【００４６】
図１に示すように、漏液検知部７０は、複数の漏液検知ユニットＵ１〜Ｕ５を直列に接続したものである。図２を参照しながら、漏液検知ユニットＵ１〜Ｕ５の漏液検知部７０の始端７１からの接続順を示す漏液検知ユニット番号Ｎがｍ（Ｎ＝ｍ）、つまり、始端７１からｍ番目の漏液検知ユニットＵｍの構成について説明する。なお、漏液検知部７０を構成する漏液検知ユニットＵの数は５つに限定されず、いくつでもよく、１つでもよいし、６つ以上で構成されていてもよい。
【００４７】
図２に示すように、漏液検知ユニットＵｍは、定電圧素子Ｄｍを含むノードＮＤｍと、一対の導電線６１，６２からなる漏液検知帯６０とを有している。ノードＮＤｍは、一対の始端側端子１３，１５と、一対の末端側端子１４，１６と、始端側端子１３，１５と末端側端子１４，１６とを並列に接続する一対の接続線１２を含んでいる。図２に示すように、一方の始端側端子１３と末端側端子１４とを接続する接続線１２の中間には、定電圧素子Ｄｍが介在して配置されるように接続されている。また、他方の始端側端子１５と末端側端子１６とは接続線１２で接続されており、定電圧素子Ｄｍは接続されていない。一対の末端側端子１４，１６には漏液検知帯６０の一対の導電線６１，６２がそれぞれ接続されており、一対の導電線６１，６２の各末端側の端部６１ｅ，６２ｅは漏液検知ユニットＵｍの末端側の端部となる。また、一対の始端側端子１３，１５は、漏液検知ユニットＵｍの始端側の端部となる。このように、漏液検知部７０は、導電線６１の側の接続線１２の間に定電圧素子Ｄｍを配置したノードＮＤｍを含む漏液検知ユニットＵｍを始端７１から末端７２に向かって直列に接続したものである。
【００４８】
定電圧素子Ｄｍは、図３に示す様に、印加電圧の絶対値が所定の立ち上がり電圧値Ｖｆに達すると導通し、印加電圧の絶対値が立ち上がり電圧値Ｖｆに達しない場合には、非導通となる素子である。本実施形態の漏液検出装置１００では、定電圧素子Ｄｍは、立ち上がり電圧値Ｖｆのツェナーダイオード１１ａ，１１ｂを逆直列に接続して図３に示すような特性の定電圧素子Ｄｍを構成している。また、本実施形態の漏液検出装置１００では、各定電圧素子Ｄ１〜Ｄ５の立ち上がり電圧値は全てＶｆで同一であるとして説明する。ただし、定電圧素子Ｄｍの構成はこれに限定されない。この点については、後で説明する。
【００４９】
導電線６１，６２は、漏液がない場合には非導通で、漏液が発生した際に漏液によって相互に導通するものである。導電線６１，６２は、例えば、吸湿性の絶縁皮膜等で覆った銅線を撚り合わせたもので構成してもよい。
【００５０】
図１、図２に示すように、漏液検知部７０は、漏液検知ユニットＵｍの末端側の端部である導電線６１，６２の末端側の端部６１ｅ，６２ｅを漏液検知ユニットＵｍ＋１の始端側の端部である始端側端子１３，１５に順次接続することにより構成されている。そして、漏液検知部７０の始端７１から１番目の漏液検知ユニットＵ１の始端側端子１３，１５は、漏液検知部７０の始端７１を構成し、漏液検知部７０の始端７１から５番目の漏液検知ユニットＵ５の導電線６１，６２の末端側の端部６１ｅ，６２ｅは漏液検知部７０の末端７２を構成する。漏液検知部７０の始端７１を構成する漏液検知ユニットＵ１の始端側端子１３，１５は、絶縁被覆線６３を介して電源８１に接続されている。電源８１と漏液検知ユニットＵ１の一方の始端側端子１３との間には、電流センサ８２が接続されている。また、漏液検知部７０の末端７２は開放されている。
【００５１】
電源８１は交流電源である。電源８１は、例えば、交流１００Ｈｚ、出力電圧１０Ｖ程度のものでもよい。電流センサ８２は、交流の電流値を検出する交流の電流検出器である。判定部９０は、内部にＣＰＵ９１とメモリ９２と、電源８１と電流センサ８２とが接続される入力インターフェース９３と、ＣＰＵ９１の演算結果を出力する出力インターフェース９４とを備えるコンピュータである。ＣＰＵ９１と、メモリ９２と、入力インターフェース９３と、出力インターフェース９４とはデータバス９５で接続されている。電源８１は判定部９０の判定部９０から入力される電圧指令値に応じた電圧を出力する。なお、判定部９０の構成はこれに限定されず、例えば、アナログ回路で構成してもよい。
【００５２】
＜漏液検出装置１００の漏液判定動作＞
以下、図４から図１０を参照しながら、漏液検出装置１００の漏液判定動作について説明するが、最初に図５、図６を参照しながら、入力電圧値と各漏液検知ユニットＵの印加電圧と導通範囲Ａについて説明する。
【００５３】
＜入力電圧値と導通範囲＞
入力電圧値がゼロの場合には、各定電圧素子Ｄは全てオフで非導通となっている。図５に示すように、始端７１の入力電圧値をゼロから立ち上がり電圧値Ｖｆまで上昇させると始端７１から１番目の漏液検知ユニットＵ１の定電圧素子Ｄ１にＶｆの電圧が印加される。すると、定電圧素子Ｄ１がオンになる。定電圧素子Ｄ１の電圧降下はＶｆなので、始端電圧がＶｆを超えると漏液検知ユニットＵ１の導電線６１，６２間に電圧が掛かり始める。これにより、漏液検知ユニットＵ１での漏液検知が可能となる。その後、入力電圧を上昇させていくと、導電線６１，６２間に電圧は、ゼロから次第に大きくなってくる。この際の導通範囲Ａ１は、漏液検知ユニットＵ１のみである。
【００５４】
図５に示すように、入力電圧値を立ち上がり電圧値Ｖｆの２倍＝２×Ｖｆまで上昇させると、漏液検知ユニットＵ１の導電線６１，６２間の電圧がＶｆに達し、始端７１から２番目の漏液検知ユニットＵ２の定電圧素子Ｄ２に立ち上がり電圧値Ｖｆが印加される。これにより、定電圧素子Ｄ２がオンになり、漏液検知ユニットＵ２の導電線６１，６２間に電圧が掛かり始め、漏液検知ユニットＵ２の漏液検知が可能となる。この際の導通範囲Ａ２は、漏液検知ユニットＵ１、Ｕ２である。
【００５５】
同様に、入力電圧値をＶｍ＝ｍ×Ｖｆまで上昇させると、漏液検知ユニットＵｍの定電圧素子Ｄｍがオンになり、漏液検知ユニットＵ１から漏液検知ユニットＵｍまでの各漏液検知ユニットＵが導通する。この際の導通範囲はＡｍである。このように、入力電圧値を上昇させていくと、各漏液検知ユニットＵは、入力電圧値がＶｆだけ上昇する毎に始端７１に接続された順に順次導通していく。
【００５６】
そして、図６に示すように、入力電圧値をＶＮｅｎｄ＝Ｎｅｎｄ×Ｖｆ（ここで、Ｎｅｎｄは末端７２の漏液検知ユニットＵの番号である。）まで上昇させると、漏液検知ユニットＵ１から漏液検知ユニットＵＮｅｎｄまでのすべての漏液検知ユニットＵが導通し、全ての漏液検知ユニットＵで漏液の検知が可能となる。従って、入力電圧値をＶＮｅｎｄよりも高い待機電圧値Ｖ０とすることにより、全ての漏液検知ユニットＵで漏液の検知を行うことができる。
【００５７】
以下、入力電圧値をＶＮｅｎｄよりも高い待機電圧値Ｖ０として漏液の検知を行う場合の動作について説明する。この場合、図７の線ａに示すように、入力電圧値を待機電圧値Ｖ０一定にする方法（第１判定動作）と、図７の線ｂに示すように、入力電圧値を待機電圧値Ｖ０の前後で変動させる方法（第２判定動作）と、図７の線ｃに示すように入力電圧値をゼロと待機電圧値Ｖ０との間で掃引する方法（第３判定動作）とがある。以下、最初に第１判定動作について説明し、次に第２、第３判定動作について説明する。
【００５８】
＜第１判定動作＞
判定部９０は、電源８１に出力電圧を待機電圧値Ｖ０一定とする電圧指令値を出力する。これにより、電源８１は、始端７１に待機電圧値Ｖ０一定の電圧を印加する。
【００５９】
図８に示すように、漏液が発生していない場合には、各漏液検知ユニットＵの導電線６１，６２間には電流が流れないので、電流センサ８２で検出した入力電流値はゼロとなっている。
【００６０】
一方、図４に示すように、ｍ番目の漏液検知ユニットＵｍで漏液が発生すると、漏液検知ユニットＵｍの導電線６１，６２の間には、Ｉｍ＝Ｇｍ（Ｖ０−Ｖｍ）の電流が流れる。ここで、Ｇｍは、漏液検知ユニットＵｍの導電線６１，６２の間のコンダクタンスである。
【００６１】
そこで、判定部９０は、電流センサ８２で検出した入力電流値と所定の閾値とを比較して、入力電流値が所定の閾値よりも大きくなった場合に、漏液が発生したものと判定する。判定部９０は、漏液が発生したと判定した場合には、出力インターフェース９４を介して外部装置に漏液発生の警報を発報する。
【００６２】
ここで、所定の閾値は自由に設定可能であるが、液体の種類等に応じて試験等によって決めてもよい。
【００６３】
＜第２判定動作＞
先に説明したように、入力電圧値をＶｍ＝ｍ×Ｖｆまで上昇させると、漏液検知ユニットＵｍの定電圧素子Ｄｍがオンになり、漏液検知ユニットＵ１から漏液検知ユニットＵｍまでの各漏液検知ユニットＵが導通する。この場合、ｍ番目の漏液検知ユニットＵｍで漏液が発生していると、漏液検知ユニットＵｍの導電線６１，６２の間に電流が流れ始める。この際、漏液部分６５のコンダクタンスはＧｍである。その後、入力電圧値を上昇させると、漏液検知ユニットＵｍの導電線６１，６２の間の電圧が大きくなり、入力電流値は次第に大きくなっていく。従って、漏液検知ユニットＵｍで漏液が発生すると、入力電圧値の変化に対する入力電流値の変化特性（以下、ＶＩ特性という）は、図９に破線で示すように、入力電圧値がＶｍまでは入力電流値はゼロで、入力電圧値がＶｍを超えるとある傾きで入力電流値が上昇していく。また、入力電圧値の変化に対するコンダクタンスの変化特性（以下、ＶＧ特性という）は、図１０に破線で示すように、入力電圧値がＶｍまではコンダクタンスＧはゼロで、入力電圧値がＶｍを超えるコンダクタンスＧは漏液部分６５のコンダクタンスはＧｍとなる。
【００６４】
そこで、第２判定動作では、図９に示すように入力電圧値を待機電圧値Ｖ０の前後でΔＶだけ変動させ、電流センサ８２で検出した入力電流値の変化から入力電流値の変化量ΔＩを計算し、コンダクタンスＧ＝ΔＩ／ΔＶを算出し、算出したコンダクタンスＧを所定の閾値と比較して漏液の判定を行うものである。
【００６５】
判定部９０は、電源８１に出力する電圧指令値を待機電圧値Ｖ０の前後でΔＶだけ変動させる。電源８１は、電圧指令値に従って始端７１に印加する入力電圧値を待機電圧値Ｖ０の前後でΔＶだけ変動させる。判定部９０は、電流センサ８２によって入力電流値を検出する。判定部９０は、異なる２つの電圧指令値に対応する２つの入力電流値から入力電流値の変化量ΔＩを算出する。そして、判定部９０は、コンダクタンスＧ＝ΔＩ／ΔＶを算出し、所定の閾値と比較する。そして、図１０に示すように、算出したコンダクタンスＧが所定の閾値よりも大きい場合に、漏液が発生したと判定する。
【００６６】
なお、入力電流値の変化量ΔＩの算出は、異なる２つの電圧指令値に対応する２つの入力電流値を用いることに限定されず、３つあるいはそれよりも多い電圧指令値に対応する入力電流値を用いて算出してもよい。また、第２判定動作において、コンダクタンスＧに代えて抵抗値Ｒ＝ΔＶ／ΔＩを算出し、抵抗値が所定の閾値よりも小さい場合に漏液が発生すると判定してもよい。
【００６７】
また、以上の説明では、異なる２つの電圧指令値に対応する２つの入力電流値から入力電流値の変化量ΔＩを算出することとして説明したが、始端７１の入力電圧値を検出する電圧センサ８３を設けて入力電圧値を検出し、電圧指令値に代えて電圧センサ８３で検出した入力電圧値を用いてもよい。この場合、入力電流値の変化量ΔＩは、異なる２つの入力電圧値に対応する２つの入力電流値から計算される。
【００６８】
＜第３判定動作＞
第３判定動作では、判定部９０は、図７の線ｃのように電圧指令値をゼロと待機電圧値Ｖ０との間で掃引し、掃引により変化する２つの電圧指令値に対応する２つの入力電流値から入力電流値の変化量ΔＩを算出する。そして、第２判定動作と同様、コンダクタンスＧ＝ΔＩ／ΔＶを算出し、算出したコンダクタンスＧが所定の閾値よりも大きい場合に、漏液が発生したと判定する。この場合、最小電圧値の際の入力電流値と最大電圧値の際の入力電流値とを用いてコンダクタンスＧを算出してもよい。
【００６９】
また、第２判定動作と同様、入力電流値の変化量ΔＩの算出は、２つの電圧指令値に対応する２つの入力電流値を用いることに限定されず、３つあるいはそれよりも多い電圧指令値に対応する入力電流値を用いて算出してもよい。また、コンダクタンスＧに代えて抵抗値Ｒ＝ΔＶ／ΔＩを算出し、抵抗値が所定の閾値よりも小さい場合に漏液が発生すると判定してもよい。また、先に説明した第２判定動作と同様、電圧指令値に代えて電圧センサ８３で検出した入力電圧値を用いて入力電流値の変化量ΔＩを算出してもよい。
【００７０】
また、本動作の説明では、電圧指令値をゼロと待機電圧値Ｖ０との間で掃引することとして説明したが、電圧指令値の最大値は、ＶＮｅｎｄ＝Ｎｅｎｄ×Ｖｆより大きければ待機電圧値Ｖ０より小さくてもよいし、待機電圧値Ｖ０よりも大きくてもよい。
【００７１】
以上説明したように、第１判定動作では、待機電圧値Ｖ０を所定の電圧値一定とする簡便な構成で、短時間で漏液の発生の判定を行うことができる。また、第２、第３判定動作は、入力電圧値を待機電圧値Ｖ０の前後で変動させたり、入力電圧値を掃引したりすることによってコンダクタンスまたは抵抗値を算出し、これにより漏液の判定を行うので、入力電流値と異なる物理量によって漏液の判定を行うことができる。
【００７２】
＜漏液の発生した漏液検知ユニットの特定動作＞
以下、図１１から図１４を参照しながら漏液の発生した漏液検知ユニットＵの特定動作について説明する。
【００７３】
漏液の発生した漏液検知ユニットの特定動作は、図７の線ｃのように電圧指令値をゼロと待機電圧値Ｖ０との間で掃引し、漏液検知ユニットＵを始端７１に接続された順に導通させ、漏液検知ユニットＵ１〜Ｕｍ−1を導通状態とした状態での合計コンダクタンス［Ｇ１+・・＋Ｇｍ−１］と、漏液検知ユニットＵ１〜Ｕｍを導通状態とした状態での合計コンダクタンス［Ｇ１+・・＋Ｇｍ］との差から漏液検知ユニットＵｍのコンダクタンスＧｍを算出し、算出したコンダクタンスＧｍを所定の閾値と比較して漏液の発生した漏液検知ユニットＵを特定するものである。
【００７４】
＜入力電圧値とコンダクタンス及び導通範囲＞
図７の線ｃのように入力電圧値をゼロから待機電圧値Ｖ０まで上昇させていくと、先に図５を参照して説明したように、各漏液検知ユニットＵは、始端７１に接続された順に順次導通していく。図１２は、ＶＩ特性に入力電圧値を掃引した際の各漏液検知ユニットにおける入力電圧値の変化に対する入力電流値の変化と、導通範囲の変化とを重ね合わせたグラフである。図１２の実線は漏液が発生していない場合のＶＩ特性を示し、破線は漏液検知ユニットＵｍで漏液が発生した場合のＶＩ特性を示す。
【００７５】
図１２に示すように、入力電圧値をＶｍとＶｍ＋１の間まで上昇させると漏液検知ユニットＵ１〜Ｕｍが導通状態となる。この状態で入力電圧値をΔＶだけ変動させ、電流センサ８２で検出した入力電流値から入力電流値の変化量ΔＩを算出した場合、図１３に示すように、ΔＩ／ΔＶで計算されるコンダクタンスＧは、下記の式（１）に示すように、導通状態となっている漏液検知ユニットＵ１〜Ｕｍの各コンダクタンスＧ１〜Ｇｍの合計コンダクタンスとなる。
【数１】
2019219351.tif 000003
【００７６】
同様に、入力電圧値をＶｍ−１とＶｍの間まで上昇させると漏液検知ユニットＵ１〜Ｕｍ−１が導通状態となるので、ΔＩ／ΔＶで計算されるコンダクタンスＧは下記の式（２）に示すように、導通状態となっている漏液検知ユニットＵ１〜Ｕｍ−１の各コンダクタンスＧ１〜Ｇｍ−１の合計コンダクタンスとなる。
【数２】
2019219351.tif 000004
【００７７】
従って、式（１）から式（２）を引くことによって図１４に示すように、漏液検知ユニットＵｍのコンダクタンスＧｍを算出することができる。そして、このコンダクタンスＧｍと所定の閾値とを比較することにより、漏液検知ユニットＵｍでの漏液の発生の有無を判定することができる。
【００７８】
＜漏液の発生した漏液検知ユニットの特定動作の詳細＞
以下、図１２から図１４を参照しながら、漏液の発生した漏液検知ユニットの特定動作の詳細について説明する。以下の説明では、漏液検知ユニットＵｍで漏液が発生したものとして説明する。
【００７９】
判定部９０は、図７の線ｃに沿って電圧値指令値をゼロから待機電圧値Ｖ０まで掃引していく。これにより、電源８１は、電圧指令値に従って始端７１に印加する入力電圧値をゼロから待機電圧値Ｖ０まで掃引する。先に説明したように、入力電圧値がＶｆに達すると漏液検知ユニットＵ１で漏液検知が可能となる。
【００８０】
判定部９０は、電圧指令値をＶｆから２×Ｖｆより僅かに小さい値まで掃引して入力電圧値をＶｆから２×Ｖｆより僅かに小さい値まで掃引する。この間では、漏液検知ユニットＵ１のみが導通範囲（導通範囲Ａ１）となっている。この間で判定部９０は、電圧指令値の差がΔＶとなる２つの電圧指令値に対応する２つの入力電流値を電流センサ８２で検出する。そして、検出した入力電流値から入力電流値の変化量ΔＩを算出し、コンダクタンスＧ１＝ΔＩ／ΔＶを計算する。漏液検知ユニットＵ１では漏液は発生しておらず、図１２に示すように、入力電圧値がＶｆから２×Ｖｆの間、入力電流値はゼロのままであるから、コンダクタンスＧ１＝ΔＩ／ΔＶ＝０となる。
【００８１】
次に判定部９０は、電圧指令値を２×Ｖｆから３×Ｖｆより僅かに小さい値まで掃引して入力電圧値を２×Ｖｆから３×Ｖｆより僅かに小さい値まで掃引する。この間では、漏液検知ユニットＵ１とＵ２とが導通範囲（導通範囲Ａ２）となっている。この間で、判定部９０は、電圧指令値の差がΔＶとなる２つの電圧指令値に対応する２つの入力電流値を電流センサ８２で検出する。そして検出した入力電流値から入力電流値の変化量ΔＩを算出し、導通範囲である漏液検知ユニットＵ１，Ｕ２のコンダクタンスの合計値［Ｇ１＋Ｇ２］＝ΔＩ／ΔＶを算出する。
【００８２】
漏液検知ユニットＵ１、Ｕ２では漏液は発生しておらず、図１２に示すように、入力電圧値が２×Ｖｆから３×Ｖｆの間入力電流値はゼロのままであるからΔＩ＝０で、コンダクタンスの合計値［Ｇ１＋Ｇ２］＝ΔＩ／ΔＶ＝０となる。判定部９０は、［Ｇ１＋Ｇ２］から先に計算したＧ１を引いてＧ２＝０の結果を得る。
【００８３】
同様に、判定部９０は、電圧指令値を掃引し、導通範囲が拡大する毎に導通範囲の漏液検知ユニットＵのコンダクタンスの合計値ΣＧを計算し、一つ前の導通範囲で計算したコンダクタンスの合計値との差から各漏液検知ユニットＵの各コンダクタンスＧを算出していく。漏液検知ユニットＵ１〜Ｕｍ−１では漏液は発生していないので、図１２に示すように、入力電圧値がＶｍに達するまでは、入力電流値はゼロであり、図１３に示すように計算される各漏液検知ユニットＵの各コンダクタンスＧは全てゼロとなっている。
【００８４】
判定部９０が電圧指令値をｍ×Ｖｆから（ｍ＋１）×Ｖｆより僅かに小さい値まで掃引して入力電圧値をｍ×Ｖｆから（ｍ＋１）×Ｖｆより僅かに小さい値まで掃引する。この間では、漏液検知ユニットＵ１〜Ｕｍが導通範囲（導通範囲Ａｍ）となっている。この間で、判定部９０は、電圧指令値の差がΔＶとなる２つの電圧指令値に対応する２つの入力電流値を電流センサ８２で検出する。そして検出した入力電流値から入力電流値の変化量ΔＩを算出し、導通範囲である漏液検知ユニットＵ１〜Ｕｍのコンダクタンスの合計値［Ｇ１＋・・・＋Ｇｍ］＝ΔＩ／ΔＶを算出する。
【００８５】
漏液検知ユニットＵｍで漏液が発生しているので、図１２に示すように、入力電圧値がΔＶ変化する間の入力電流値の変化はゼロではないので、［Ｇ１＋・・・＋Ｇｍ］＝ΔＩ／ΔＶは、０ではない値となる。判定部９０は、［Ｇ１＋・・・＋Ｇｍ］から先に計算した［Ｇ１＋・・・＋Ｇｍ−１］を引いてＧｍの値を得る。
【００８６】
判定部９０が電圧指令値を（ｍ＋１）×Ｖｆから（ｍ＋２）×Ｖｆより僅かに小さい値まで掃引して入力電圧値を（ｍ＋１）×Ｖｆから（ｍ＋２）×Ｖｆより僅かに小さい値まで掃引する。この間では、漏液検知ユニットＵ１〜Ｕｍ＋１が導通範囲（導通範囲Ａｍ＋１）となっている。この間で、判定部９０は、電圧指令値の差がΔＶとなる２つの電圧指令値に対応する２つの入力電流値を電流センサ８２で検出する。そして検出した入力電流値から入力電流値の変化量ΔＩを算出し、導通範囲である漏液検知ユニットＵ１〜Ｕｍ＋１のコンダクタンスの合計値［Ｇ１＋・・・＋Ｇｍ＋１］＝ΔＩ／ΔＶを算出する。
【００８７】
漏液検知ユニットＵｍ＋１では漏液が発生していないので、図１２に示すように、入力電圧値がΔＶ変化する間の入力電流値の変化は、漏液検知ユニットＵ１〜Ｕｍが導通範囲（導通範囲Ａｍ）となっている場合と同一であり、ＶＩ特性の傾きも同一である。従って、［Ｇ１＋・・・＋Ｇｍ＋１］＝ΔＩ／ΔＶはＧｍと同一の値となる。判定部９０は、［Ｇ１＋・・・＋Ｇｍ＋１］＝Ｇｍから先に計算した［Ｇ１＋・・・＋Ｇｍ］＝Ｇｍを引いてＧｍ＋１＝0との値を得る。
【００８８】
漏液検知ユニットＵｍ以降には漏液が発生していないので、図１２に示すＶＩ特性の多傾きは変化せず、［Ｇ１＋・・・＋Ｇｍ＋１］〜［Ｇ１＋・・・＋ＧＮｅｎｄ］までのΔＩ／ΔＶは全てＧｍとなり、図１３に示すように、各コンダクタンスＧｍ＋１〜ＧＮｅｎｄは全てゼロとなる。
【００８９】
以上のようにして算出した各漏液検知ユニットＵ１〜Ｕｍ＋１の各コンダクタンスＧ１〜Ｇｍ＋１は、図１４に示すように、漏液の発生した漏液検知ユニットＵｍのみが０ではない値のＧｍとなり、他の漏液検知ユニットＵの各コンダクタンスＧは全てゼロとなる。
【００９０】
判定部９０は、計算した各漏液検知ユニットＵ１〜Ｕｍ＋１の各コンダクタンスＧ１〜Ｇｍ＋１と所定の閾値とを比較し、コンダクタンスＧが所定の閾値よりも大きい漏液検知ユニットＵｍを漏液の発生した漏液検知ユニットＵとして特定する。
【００９１】
次に、図１６から１８を参照して、２つの漏液検知ユニットＵ２，Ｕｍで漏液が発生した場合の漏液検知ユニットの特定動作について説明する。先に説明した漏液検知ユニッＵｍで漏液が発生した場合の漏液検知ユニットＵの特定動作と同様の動作については簡単に説明する。
【００９２】
先に図１１〜１４を参照して説明したのと同様、漏液検知ユニットＵ１では漏液が発生していないので、Ｇ１＝０である。
【００９３】
漏液検知ユニットＵ２では漏液が発生しているので、コンダクタンスＧ２は０ではない値となる。漏液検知ユニットＵ３〜Ｕｍ−１では漏液は発生していないので、図１６に示すようにＶＩ特性の傾きは一定で、図１７に示すように、合計コンダクタンス［Ｇ１＋・・・＋Ｇ３］〜［Ｇ１＋・・・＋Ｇｍ−１］はＧ２で一定となる。そして、図１８に示すように、漏液検知ユニットＵ３〜Ｕｍ−１の各コンダクタンスＧ３〜Ｇｍ−１は全てゼロとなる。
【００９４】
そして、先に説明したと同様、図１８に示すように、漏液検知ユニットＵｍのコンダクタンスＧｍは０ではない値となり、ｍ＋１番目以降の漏液検知ユニットＵｍ＋１〜ＵＮｅｎｄの各コンダクタンスＧｍ＋１〜ＧＮｅｎｄは全てゼロとなる。
【００９５】
判定部９０は、計算した各漏液検知ユニットＵ１〜Ｕｍ＋１の各コンダクタンスＧ１〜Ｇｍ＋１と所定の閾値とを比較し、コンダクタンスＧが所定の閾値よりも大きい漏液検知ユニットＵ２，Ｕｍとを漏液の発生した漏液検知ユニットＵとして特定する。
【００９６】
以上、２つの漏液検知ユニットＵで漏液が発生した場合の漏液の発生した漏液検知ユニットＵの特定動作について説明したが、３つ以上の漏液検知ユニットＵで漏液が発生した場合の特定動作も上記の特定動作と同様である。
【００９７】
以上説明した特定動作は、入力電圧値を掃引し、漏液検知ユニットＵを始端７１に接続された順に導通させて、各漏液検知ユニットＵのコンダクタンスＧを算出し、計算したコンダクタンスＧを所定の閾値と比較するので、漏液の発生した漏液検知ユニットＵを特定することができる。これにより、簡便な構成によって漏液箇所の検出信頼性を向上させることができる。
【００９８】
また、以上の特定動作では、異なる２つの電圧指令値に対応する２つの入力電流値から入力電流値の変化量ΔＩを算出することとして説明したが、先に説明した第２判定動作と同様、始端７１の入力電圧値を検出する電圧センサ８３を設けて入力電圧値を検出し、電圧指令値に代えて電圧センサ８３で検出した入力電圧値を用いてもよい。この場合、入力電流値の変化量ΔＩは、異なる２つの入力電圧値に対応する２つの入力電流値から計算される。
【００９９】
以上の特定動作の説明では、漏液検知ユニットＵ１〜Ｕｍ−１を導通状態とした状態での合計コンダクタンス［Ｇ１＋・・＋Ｇｍ−１］と、漏液検知ユニットＵ１〜Ｕｍを導通状態とした状態での合計コンダクタンス［Ｇ１＋・・＋Ｇｍ］との差から漏液検知ユニットＵｍのコンダクタンスＧｍを算出することとして説明したが、この計算方法以外の計算方法によって漏液検知ユニットＵｍのコンダクタンスＧｍを算出することとしてもよい。
【０１００】
例えば、漏液検知ユニットＵ１〜ＵＮｅｎｄまでを導通状態にした場合の合計コンダクタンス［Ｇ１+・・＋ＧＮｅｎｄ］と、漏液検知ユニットＵ１〜Ｕｍ−１までを導通状態にした場合の合計コンダクタンス［Ｇ１+・・＋Ｇｍ−１］との差から、漏液検知ユニットＵｍ〜ＵＮｅｎｄまでを仮想的に導通状態にした場合の合計コンダクタンス［Ｇｍ+・・＋ＧＮｅｎｄ］を計算する。また、合計コンダクタンス［Ｇ１+・・＋ＧＮｅｎｄ］と漏液検知ユニットＵ１〜Ｕｍまでを導通状態にした場合の合計コンダクタンス［Ｇ１+・・＋Ｇｍ］との差から漏液検知ユニットＵｍ〜ＵＮｅｎｄまでを仮想的に導通状態にした場合の合計コンダクタンス［Ｇｍ＋１+・・＋ＧＮｅｎｄ］を計算する。そして、合計コンダクタンス［Ｇｍ+・・＋ＧＮｅｎｄ］と合計コンダクタンス［Ｇｍ＋１+・・＋ＧＮｅｎｄ］との差からＧｍを算出するようにしてもよい。
【０１０１】
＜第２実施形態の漏液検出装置２００の構成＞
次に図１９から図３５を参照して第２実施形態の漏液検出装置２００について説明する。先に図１から図１８を参照して説明した漏液検出装置１００と同様の部分には、同様の符号を付して説明は省略する。
【０１０２】
図１９に示すように、漏液検出装置２００は、先に説明した漏液検出装置１００の電流センサ８２に代わり、電圧検出部である電圧センサ８３を設けたものである。また、電源８１は、判定部９０から入力される電流指令値に応じた電流を出力する。また、漏液検知部７０の末端７２は開放されておらず、末端７２を構成する漏液検知ユニットＵ５の導電線６１，６２の末端側の端部６１ｅ，６２ｅは、末端抵抗７９で接続されている。末端抵抗７９の抵抗値は、漏液の検知を行う液体の抵抗値よりも大きな抵抗値である。
【０１０３】
＜漏液検出装置２００の漏液判定動作＞
以下、図２０から図２６を参照しながら、漏液検出装置２００の漏液判定動作について説明する。判定動作は、図２１の線ａに示すように入力電流値を待機電流値Ｉ０一定で行う方法（第１判定動作）、図２１の線ｂに示すように、入力電流値を待機電流値Ｉ０の前後で変動させる方法（第２判定動作）と、図２１の線ｃに示すように、入力電流値をゼロと待機電流値Ｉ０との間で掃引する方法とがある。以下、最初に図２２を参照しながら、入力電圧値と各漏液検知ユニットＵの印加電圧と導通範囲Ａについて説明する。
【０１０４】
＜入力電圧値と導通範囲＞
漏液の発生が無い場合、先に、図５を参照して説明したように、入力電圧値をゼロから上昇させていくと、各漏液検知ユニットＵは、入力電圧値がＶｆだけ上昇する毎に始端７１に接続された順に漏液検知ユニットＵ１〜ＵＮｅｎｄの順に順次導通していく。そして、入力電圧値がＶＮｅｎｄ＝（Ｎｅｎｄ）×Ｖｆに達すると、漏液検知ユニットＵ１から漏液検知ユニットＵＮｅｎｄまでのすべての漏液検知ユニットＵが導通し、全ての漏液検知ユニットＵで漏液の検知が可能となる。
【０１０５】
入力電圧値がＶＮｅｎｄを超えると末端抵抗７９に電流が流れ始める。図２１に示すように入力電流値を大きさが一定の待機電流値Ｉ０に保持した場合、末端抵抗７９に流れる電流値は待機電流値Ｉ０となり、この際の末端抵抗７９の電圧降下ΔＶＥは、末端抵抗７９のコンダクタンスをＧＥとしてΔＶＥ＝Ｉ０／ＧＥとなる。そして、入力電圧値は、ＶＮｅｎｄ＋ΔＶＥとなる。
【０１０６】
この際の入力電流値の変化に対する入力電圧値の変化特性（以下、ＩＶ特性という）を図２３の実線に示す。図２３の実線に示すように、入力電圧値がＶＮｅｎｄに達するまでは入力電流値はゼロであり漏液検知部７０に流れる電流値はゼロである。入力電流値がＶＮｅｎｄを超えると、入力電流値が大きくなるに従って入力電流値も大きくなり、入力電圧値がＶＮｅｎｄ＋ΔＶＥに達すると、入力電流値は待機電流値Ｉ０に達する。
【０１０７】
図２０に示すように、入力電流値を待機電流値Ｉ０に保った状態で漏液検知ユニットＵｍで漏液が発生した場合、漏液検知ユニットＵｍのコンダクタンスＧｍがゼロから大きくなり、漏液検知ユニットＵｍに電流Ｉ0が流れる。これにより、図２２、２３に示すように、漏液検知ユニットＵｍの電圧は、漏液部分６５の電圧降下をΔＶＷ０としてＶｍ＋ΔＶＷ０まで低下する。ここで、漏液部分６５の電圧降下ΔＶＷ０は、漏液部分６５のコンダクタンスをＧｍとしてΔＶＷ０＝Ｉ０／Ｇｍとなる。
【０１０８】
また、漏液検知ユニットＵｍ＋１より末端側の漏液検知ユニットＵｍ＋１〜ＵＮｅｎｄの定電圧素子Ｄｍ＋１〜ＤＮｅｎｄに印加される電圧がＶｆよりも小さくなる。これにより、定電圧素子Ｄｍ＋１〜ＤＮｅｎｄが非導通となる。
【０１０９】
以上のことから、入力電流値を待機電流値Ｉ０一定に保った場合、図２２、２３に示すように、漏液の無い場合に電圧センサ８３で検出する入力電圧値は、ＶＮｅｎｄ＋ΔＶＥからＶｍ＋ΔＶＷ０に低下する。
【０１１０】
＜第１判定動作＞
判定部９０は、電源８１に出力電流を待機電流値Ｉ０一定とする電流指令値を出力する。この際、入力電圧値は末端抵抗７９に待機電流が流れるようにＶＮｅｎｄ＋ΔＶＥとする。これにより、電源８１は待機電流値Ｉ０一定の電流を出力し、末端抵抗７９に流れる電流値は待機電流値Ｉ０となる。
【０１１１】
先に説明したように、漏液が発生していない場合には、電圧センサ８３の検出する入力電圧値は、ＶＮｅｎｄ＋ΔＶＥとなる。
【０１１２】
漏液検知ユニットＵｍで漏液が発生すると、電圧センサ８３の検出する入力電圧値は、ＶＮｅｎｄ＋ΔＶＥからＶｍ＋ΔＶＷ０に低下する。判定部９０は、電圧センサ８３で検出した入力電圧値と所定の閾値とを比較して漏液発生の判定を行う。例えば、判定部９０は、待機状態における入力電圧値から所定の電圧値だけ入力電圧値が低下した際に漏液が発生したと判定してもよい。
【０１１３】
また、漏液が発生した場合、電圧センサ８３の検出する入力電圧値はＶｍ＋ΔＶＷ０に低下する。ここで、Ｖｍ＝（ｍ）×Ｖｆであるから、電圧センサ８３の検出する入力電圧値は（ｍ）×Ｖｆ＋ΔＶＷ０となる。このように、入力電圧値は漏液の発生した漏液検知ユニットＵの番号によって異なった値となる。例えば、漏液の発生した漏液検知ユニットがＵ１の場合、入力電圧値は、Ｖｆ＋ΔＶＷ０となる。そして、ΔＶＷ０がＶｆを超えないようにＶｆ、待機電流値Ｉ０を選定することにより、漏液検知ユニットＵｍで漏液が発生した場合の入力電圧値（ｍ）×Ｖｆ＋ΔＶＷ０を（ｍ）×Ｖｆと（ｍ＋１）×Ｖｆの間になるようにすることができる。
【０１１４】
この場合、図２４（ａ）に示すような比較表をメモリ９２の中に格納しておき、判定部９０は、電圧センサ８３で検出した入力電圧値と比較表の入力電圧値の範囲とを比較することにより、漏液の発生の判定と共に、漏液の発生した漏液検知ユニットＵを特定することができる。
【０１１５】
例えば、図２４（ａ）に示すように、電圧センサ８３で検出した入力電圧値がＶｆと２×Ｖｆの間の場合には漏液検知ユニットＵ１で漏液が発生していると判定する。また、電圧センサ８３で検出した入力電圧値が２×Ｖｆと３×Ｖｆの間の場合には漏液検知ユニットＵ２で漏液が発生していると判定する。
【０１１６】
また、各漏液検知ユニットＵの各定電圧素子Ｄの立ち上がり電圧値Ｖｆが全て同一ではない場合には、図２４（ｂ）に示すような表を適用することにより漏液の発生した漏液検知ユニットＵを特定することができる。
【０１１７】
図２４（ｂ）に示す表は、定電圧素子Ｄ１〜Ｄ５の導通電圧がそれぞれ１（Ｖ）、２（Ｖ）、１（Ｖ）、１（Ｖ）、１．５（Ｖ）で、漏液検知ユニットＵ１〜Ｕ５はそれぞれ入力電圧値が１（Ｖ）、３（Ｖ）、４（Ｖ）、５（Ｖ）、６．５（Ｖ）を超えると導通するように構成された場合に適用される表である。判定部９０は、例えば、電圧センサ８３で検出した入力電圧値が１（Ｖ）以上３（Ｖ）未満の場合には、漏液検知ユニットＵ１を漏液の発生した漏液検知ユニットＵと特定し、電圧センサ８３で検出した入力電圧値が３（Ｖ）以上４（Ｖ）未満の場合には、漏液検知ユニットＵ２を漏液の発生した漏液検知ユニットＵと特定する。
【０１１８】
＜第２判定動作＞
次に、図２５を参照しながら第２判定動作について説明する。図２５の実線に示すように、漏液の発生していない場合には、入力電圧値がＶＮｅｎｄを超えると末端抵抗７９に電流が流れるので、入力電圧値を増加させていくと入力電流値も増加してくる。また、図２５の破線に示すように、漏液検知ユニットＵｍで漏液が発生した場合、入力電圧値がＶｍを超えると漏液部分６５に電流が流れるので、入力電圧値を増加させると入力電流値も増加してくる。末端抵抗７９のコンダクタンスＧＥは、漏液部分６５のコンダクタンスＧｍよりも小さいので、実線の傾きは、破線の傾きよりも大きくなる。第２判定動作は、図２５に示すように、入力電流値を待機電流値Ｉ０の前後で変動させ、電圧センサ８３で検出した入力電圧値の変化から入力電圧値の変化量ΔＶを計算し、コンダクタンスＧ＝ΔＩ／ΔＶを算出し、算出したコンダクタンスＧを所定の閾値と比較して漏液の判定を行うものである。図２５に示すように、漏液の発生していない場合には、入力電圧値はＶＮｅｎｄ＋ΔＶＥの前後で変動する。また、待機電流値がＩ０の場合には漏液の発生した場合には入力電圧値はＶｍ＋ΔＶＷ０に低下するので、入力電圧値はＶｍ＋ΔＶＷ０の前後で変動する。
【０１１９】
図２５に示すように、判定部９０は、電源８１に出力する電流指令値を待機電流値Ｉ０の前後でΔＩだけ変動させる。この際、入力電圧値は末端抵抗７９に待機電流が流れるようにＶＮｅｎｄ＋ΔＶＥよりも大きくなるようにする。電源８１は、電流指令値に従って入力電流値を待機電流値Ｉ０の前後でΔＩだけ変動させる。漏液の発生していない場合には、入力電圧値はＶＮｅｎｄ＋ΔＶＥの前後で変動する。また、漏液が発生した場合には、入力電圧値はＶｍ＋ΔＶＷ０の前後で変動する。
【０１２０】
判定部９０は、電圧センサ８３によって入力電圧値を検出する。判定部９０は、図２５に示すように、異なる２つの電流指令値に対応する２つの入力電圧値から入力電圧値の変化量ΔＶを算出する。そして、判定部９０は、コンダクタンスＧ＝ΔＩ／ΔＶを算出し、所定の閾値と比較する。そして、図２６に示すように、算出したコンダクタンスＧが所定の閾値よりも大きい場合に、漏液が発生したと判定する。
【０１２１】
ここで、所定の閾値は自由に選択できるが、末端抵抗７９のコンダクタンスＧＥより大きい値であることが必要である。例えば、コンダクタンスＧＥの１．５〜２倍としてもよい。
【０１２２】
なお、入力電圧値の変化量ΔＶの算出は、異なる２つの電流指令値に対応する２つの入力電圧値を用いることに限定されず、３つあるいはそれよりも多い電流指令値に対応する入力電圧値を用いて算出してもよい。また、第２判定動作において、コンダクタンスＧに代えて抵抗値Ｒ＝ΔＶ／ΔＩを算出し、抵抗値が所定の閾値よりも小さい場合に漏液が発生すると判定してもよい。
【０１２３】
また、以上の説明では、異なる２つの電流指令値に対応する２つの入力電圧値から入力電圧値の変化量ΔＶを算出することとして説明したが、始端７１の入力電流値を検出する電流センサ８２を設けて入力電流値を検出し、電流指令値に代えて電流センサ８２で検出した入力電流値を用いてもよい。この場合、入力電圧値の変化量ΔＶは、異なる２つの入力電流値に対応する２つの入力電圧値から計算される。
【０１２４】
＜第３判定動作＞
第３判定動作では、判定部９０は、図２１の線ｃのように電流指令値をゼロと待機電流値Ｉ０との間で掃引し、掃引により変化する２つの電流指令値に対応する２つの入力電圧値から入力電圧値の変化量ΔＶを算出する。この際、入力電圧値は末端抵抗７９に待機電流が流れるようにＶＮｅｎｄよりも大きくなるようにする。漏液の発生していない場合には、入力電圧値はＶＮｅｎｄよりも大きい範囲で変動する。また、漏液が発生した場合には、入力電圧値は漏液の発生していない場合よりも低い電圧値でＶｍよりも大きい範囲で変動する。
【０１２５】
そして、第２判定動作と同様、コンダクタンスＧ＝ΔＩ／ΔＶを算出し、算出したコンダクタンスＧが所定の閾値よりも大きい場合に、漏液が発生したと判定する。この場合、最小電流値の際の入力電圧値と最大電流値の際の入力電圧値とを用いてコンダクタンスＧを算出してもよい。
【０１２６】
また、第２判定動作と同様、入力電圧値の変化量ΔＶの算出は、２つの電流指令値に対応する２つの入力電圧値を用いることに限定されず、３つあるいはそれよりも多い電流指令値に対応する入力電圧値を用いて算出してもよい。また、コンダクタンスＧに代えて抵抗値Ｒ＝ΔＶ／ΔＩを算出し、抵抗値が所定の閾値よりも小さい場合に漏液が発生すると判定してもよい。また、先に説明した第２判定動作と同様、電流指令値に代えて電流センサ８２で検出した入力電流値を用いてもよい。
【０１２７】
また、本動作の説明では、電流指令値をゼロと待機電流値Ｉ０との間で掃引することとして説明したが、待機電流値Ｉ０より大きくてもよい。
【０１２８】
以上説明したように、第１判定動作では、待機電流値Ｉ０を所定の電流値一定とする簡便な構成で、短時間で漏液の発生の判定を行うことができる。また、第２、第３判定動作は、入力電流値を待機電流値Ｉ０の前後で変動させたり、入力電流値を掃引したりすることによってコンダクタンスまたは抵抗値を算出し、これにより漏液の判定を行うので、入力電圧値と異なる物理量によって漏液の判定を行うことができる。
【０１２９】
＜漏液の発生した漏液検知ユニットの特定動作＞
以下、図２７から図３５を参照しながら漏液の発生した漏液検知ユニットＵの特定動作について説明する。以下の説明では、漏液検知ユニットＵｍで漏液が発生したものとして説明する。
【０１３０】
漏液の発生した漏液検知ユニットの特定動作は、図２８の線ｃのように電流指令値をゼロと所定の最大電流値Ｉｍａｘとの間で掃引し、漏液検知ユニットＵを始端７１に接続された順に導通させ、漏液検知ユニットＵ１〜Ｕｍ−１を導通状態とした状態での合計コンダクタンス［Ｇ１+・・＋Ｇｍ−１］と、漏液検知ユニットＵ１〜Ｕｍを導通状態とした状態での合計コンダクタンス［Ｇ１+・・＋Ｇｍ］との差から漏液検知ユニットＵｍのコンダクタンスＧｍを算出し、算出したコンダクタンスＧｍを所定の閾値と比較して漏液の発生した漏液検知ユニットＵを特定するものである。
【０１３１】
漏液が発生していない場合、末端抵抗７９に電流が流れるように、入力電圧値がＶＮｅｎｄ以上の範囲として入力電流値をゼロと所定の最大電流値Ｉｍａｘとの間で掃引する。
【０１３２】
判定部９０は、図２８の線ｃに沿って電流指令値をゼロから最大電流値Ｉｍａｘまで掃引していく。また、判定部９０は入力電圧値がＶＮｅｎｄ以上の範囲となるように電源８１を設定する。これにより、電源８１は、電流指令値に従って出力電流値をゼロとＩｍａｘの間で掃引する。この際、入力電圧値は、図２８の破線及び図２９に示すように、入力電流値に応じてＶＮｅｎｄ以上の範囲で変動する。この状態では、全ての漏液検知ユニットＵ１〜ＵＮｅｎｄは導通状態となっている。また、図２９に実線で示すように、入力電流値がゼロでは入力電圧値はＶＮｅｎｄで入力電流値が大きくなると入力電圧値も大きくなってくる。
【０１３３】
この状態で、判定部９０は、図２９に示すように、電流指令値をΔＩだけ掃引し、電流指令値の差がΔＩとなる２つの電流指令値に対応する２つの入力電圧値を電圧センサ８３で検出する。そして、検出した入力電圧値から入力電圧値の変化量ΔＶを算出し、コンダクタンスＧ＝ΔＩ／ΔＶを計算する。このΔＩ／ΔＶで計算されるコンダクタンスＧは、導通状態となっている漏液検知ユニットＵ１〜ＵＮｅｎｄの各コンダクタンスＧ１〜ＧＮｅｎｄの合計コンダクタンス［Ｇ１＋・・・＋ＧＮｅｎｄ］となる。漏液の発生していない場合には漏液検知ユニットＵ１〜ＵＮｅｎｄ−１の各コンダクタンスＧ１〜ＧＮｅｎｄ−１は全てゼロとなるから、上記の計算により、判定部９０は、漏液検知ユニットＵＮｅｎｄのコンダクタンスＧＮｅｎｄを検出できる。漏液検知ユニットＵＮｅｎｄで漏液が発生していない場合には、コンダクタンスＧＮｅｎｄは、末端抵抗７９のコンダクタンスＧＥとなる。
【０１３４】
漏液が発生すると、先に説明したように、入力電流値がゼロの場合の入力電圧値はＶＮｅｎｄからＶｍに低下する。このため、入力電流値をゼロと所定の最大電流値Ｉｍａｘとの間で掃引すると図２８に一点鎖線で示すように、入力電圧値は入力電流値に応じてＶｍ以上の範囲で変動する。また、図２９に破線で示すように、入力電流値がゼロでは入力電圧値はＶｍ（＝ｍ×Ｖｆ）で入力電流値が大きくなると入力電圧値も大きくなってくる。そして、入力電流値が更に大きくなり、入力電圧値がＶＮｅｎｄ（＝Ｎｅｎｄ×Ｖｆ）を超えると、末端抵抗７９に電流が流れるのでＶＩ特性の傾きが大きくなる。
【０１３５】
この場合、入力電流値がゼロの場合には、漏液検知ユニットＵ１〜Ｕｍが導通状態となっており、漏液検知ユニットＵｍより末端側の漏液検知ユニットＵｍ＋１〜ＵＮｅｎｄは非導通状態となっている。そして、入力電流値を大きくすることによって入力電圧値が大きくなり、入力電圧値がＶｆだけ大きくなる毎に各漏液検知ユニットＵが始端７１に接続された順に順次導通していく。そして、入力電圧値がＶＮｅｎｄに達すると全ての漏液検知ユニットＵ１〜ＵＮｅｎｄは導通状態となり、末端抵抗７９に電流が流れ始める。
【０１３６】
判定部９０は、入力電圧値がｍ×Ｖｆから（ｍ＋１）×Ｖｆより僅かに小さい値の範囲となるように、電流指令値をΔＩだけ掃引する。そして、電流指令値の差がΔＩとなる２つの電流指令値に対応する２つの入力電圧値を電圧センサ８３で検出する。そして、検出した入力電圧値から入力電圧値の変化量ΔＶを算出し、コンダクタンスＧ＝ΔＩ／ΔＶを計算する。このΔＩ／ΔＶで計算されるコンダクタンスＧは、導通状態となっている漏液検知ユニットＵ１〜Ｕｍの各コンダクタンスＧ１〜Ｇｍの合計コンダクタンス［Ｇ１＋・・・＋Ｇｍ］となる。
【０１３７】
漏液検知ユニットＵ１〜Ｕｍ−１では漏液が発生していないから、漏液検知ユニットＵ１〜Ｕｍ−１の各コンダクタンスＧ１〜Ｇｍ−１は全てゼロとなる。従って、上記の計算により、判定部９０は、漏液検知ユニットＵｍのコンダクタンスＧｍを検出できる。漏液検知ユニットＵｍでは漏液が発生しているので、Ｇｍはゼロではないある値となる。ただし、末端抵抗７９の抵抗値は、漏液部分６５の抵抗値よりも大きく設定しているので、Ｇｍは先に算出したＧＥよりも大きくなる。
【０１３８】
判定部９０は、入力電圧値が（ｍ＋１）×Ｖｆから（ｍ＋２）×Ｖｆより僅かに小さい値の範囲となるように、電流指令値をΔＩだけ更に掃引する。これにより、漏液検知ユニットＵｍ＋１が導通状態となる。そして、先に説明したと同様、電流指令値の差がΔＩとなる２つの電流指令値に対応する２つの入力電圧値を電圧センサ８３で検出してコンダクタンスＧ＝ΔＩ／ΔＶを計算する。このΔＩ／ΔＶで計算されるコンダクタンスＧは、導通状態となっている漏液検知ユニットＵ１〜Ｕｍ＋１の各コンダクタンスＧ１〜Ｇｍ＋１の合計コンダクタンス［Ｇ１＋・・・＋Ｇｍ＋１］となる。判定部９０は、合計コンダクタンス［Ｇ１＋・・・＋Ｇｍ＋１］から先に算出した合計コンダクタンス［Ｇ１＋・・・＋Ｇｍ］を引いて漏液検知ユニットＵｍ＋１のコンダクタンスＧｍ＋１を算出する。
【０１３９】
図２９に示すように、入力電圧値がｍ×Ｖｆと（ｍ＋１）×Ｖｆとの間のＶＩ特性の傾きと、入力電圧値が（ｍ＋１）×Ｖｆと（ｍ＋２）×Ｖｆとの間のＶＩ特性の傾きとは同一であるから、各ΔＩ／ΔＶの値は等しい。従って、図３０に示すように、合計コンダクタンス［Ｇ１＋・・・＋Ｇｍ］の値と合計コンダクタンス［Ｇ１＋・・・＋Ｇｍ＋１］の値とは等しくなる。したがって、コンダクタンスＧｍ＋１はゼロとなる。
【０１４０】
以後、同様に入力電流値を増加させながら電圧センサ８３で入力電圧値を検出し、これにもとづいて漏液検知ユニットＵｍ＋２〜ＵＮｅｎｄ−１の各コンダクタンスＧｍ＋１〜ＧＮｅｎｄ−１を算出していく。図２９に示すように、入力電圧値がＶＮｅｎｄに達するまでは、ＶＩ特性の傾きは一定なので、それぞれの段階で算出する合計コンダクタンスの値は同一で、コンダクタンスＧｍ＋２〜ＧＮｅｎｄ−１は全てゼロとなる。
【０１４１】
判定部９０が更に電流指令値を大きくし、電圧センサ８３で検出する入力電圧値がＶｎＥｎｄを超えるとＶＩ特性の傾きが大きくなる。先に説明したと同様、入力電流値を増加させながら電圧センサ８３で入力電圧値を検出し、これに基づいて各コンダクタンスＧ１〜ＧＮｅｎｄの合計コンダクタンス［Ｇ１＋・・・＋ＧＮｅｎｄ］を算出する。
【０１４２】
判定部９０は、合計コンダクタンス［Ｇ１＋・・・＋ＧＮｅｎｄ］から先に算出した合計コンダクタンス［Ｇ１＋・・・＋ＧＮｅｎｄ−１］を引いて漏液検知ユニットＵＮｅｎｄのコンダクタンスとしてＧＮｅｎｄを得る。漏液検知ユニットＵＮｅｎｄで漏液が発生していない場合には、コンダクタンスＧＮｅｎｄは末端抵抗７９のコンダクタンスＧＥとなる。
【０１４３】
以上のようにして判定部９０が算出した各漏液検知ユニットＵ１〜ＵＮｅｎｄの各コンダクタンスＧ１〜ＧＮｅｎｄの変化を図示すると図３１のようになる。図３１に示すように、漏液の発生している漏液検知ユニットＵｍのコンダクタンスＧｍはゼロではないある値となっている。また、末端抵抗７９を含む漏液検知ユニットＵＮｅｎｄのコンダクタンスＧＮｅｎｄは、末端抵抗７９のコンダクタンスＧＥとなっている。それ以外の各漏液検知ユニットＵのコンダクタンスＧは全てゼロとなっている。
【０１４４】
そして、判定部９０は、コンダクタンスＧの値が末端抵抗７９のコンダクタンスＧＥよりも大きい所定の閾値を超えた場合に、その漏液検知ユニットＵを漏液が発生した漏液検知ユニットＵとして特定する。
【０１４５】
次に、図３２から図３５を参照して図３２に示すように、漏液検知ユニットＵ２と漏液検知ユニットＵｍの二箇所で漏液が発生した場合に特定動作について説明する。先に説明した漏液検知ユニットＵｍで漏液が発生した際の特定動作と同様の動作については簡単に説明する。
【０１４６】
図３３に示すように、漏液検知ユニットＵ２で漏液が発生した場合には、入力電流値がゼロの場合の入力電圧値は２×Ｖｆまで低下する。そして、入力電流値を掃引した場合には、入力電圧値は、２×Ｖｆ以上の範囲で入力電流値に応じて変化する。
【０１４７】
判定部９０は、入力電圧値が２×Ｖｆから３×Ｖｆより僅かに小さい値の範囲となるように、電流指令値をΔＩだけ掃引する。そして、電流指令値の差がΔＩとなる２つの電流指令値に対応する２つの入力電圧値を電圧センサ８３で検出する。そして、検出した入力電圧値から入力電圧値の変化量ΔＶを算出し、コンダクタンスＧ＝ΔＩ／ΔＶを計算する。このΔＩ／ΔＶで計算されるコンダクタンスＧは、導通状態となっている漏液検知ユニットＵ１〜Ｕ２の各コンダクタンスＧ１〜Ｇ２の合計コンダクタンス［Ｇ１＋Ｇ２］となる（図３４参照）。
【０１４８】
漏液検知ユニットＵ１では漏液が発生していないからコンダクタンスＧ１はゼロである。従って、上記の計算により、判定部９０は、漏液検知ユニットＵ２のコンダクタンスＧ２を算出できる。漏液検知ユニットＵ２では漏液が発生しているので、Ｇ２はゼロではないある値でＧＥよりも大きい値となる。
【０１４９】
判定部９０は、先に説明したと同様、入力電流値を増加させながら電圧センサ８３で入力電圧値を検出し、これにもとづいて漏液検知ユニットＵ３〜Ｕｍ−１の各コンダクタンスＧ３〜Ｇｍ−１を算出していく。図３３に示すように、入力電圧値がＶｍに達するまでは、ＶＩ特性の傾きは一定なので、それぞれの段階で算出する合計コンダクタンスの値は同一で、コンダクタンスＧ３〜Ｇｍ−１は全てゼロとなる。
【０１５０】
判定部９０が更に電流指令値を大きくし、電圧センサ８３で検出する入力電圧値がＶｍを超えると図３３に示すように、ＶＩ特性の傾きが大きくなる。先に説明したと同様、入力電流値を増加させながら電圧センサ８３で入力電圧値を検出し、これに基づいて各コンダクタンスＧ１〜Ｇｍの合計コンダクタンス［Ｇ１＋・・・＋Ｇｍ］を検出する（図３４参照）。
【０１５１】
判定部９０は、合計コンダクタンス［Ｇ１＋・・・＋Ｇｍ］から先に算出した合計コンダクタンス［Ｇ１＋・・・＋Ｇｍ−１］を引いて漏液検知ユニットＵｍのコンダクタンスとしてＧｍを得る。漏液検知ユニットＵｍでは漏液が発生しているので、Ｇｍはゼロではないある値でＧＥよりも大きい値となる。
【０１５２】
判定部９０は更に入力電圧指令値を大きくし、先に説明したと同様、漏液検知ユニットＵＮｅｎｄのコンダクタンスＧＮｅｎｄを得る。漏液検知ユニットＵＮｅｎｄで漏液が発生していない場合には、コンダクタンスＧＮｅｎｄは、末端抵抗７９のコンダクタンスＧＥとなる（図３４参照）。
【０１５３】
以上のようにして判定部９０が算出した各漏液検知ユニットＵ１〜ＵＮｅｎｄの各コンダクタンスＧ１〜ＧＮｅｎｄの変化を図示すると図３５のようになる。図３５に示すように、漏液の発生している漏液検知ユニットＵ２，ＵｍのコンダクタンスＧ２，Ｇｍはゼロではないある値となっている。また、末端抵抗７９を含む漏液検知ユニットＵＮｅｎｄのコンダクタンスＧＮｅｎｄは、末端抵抗７９のコンダクタンスＧＥとなっている。それ以外の各漏液検知ユニットＵのコンダクタンスＧは全てゼロとなっている。
【０１５４】
そして、判定部９０は、コンダクタンスＧの値が末端抵抗７９のコンダクタンスＧＥよりも大きい所定の閾値を超えた場合に、その漏液検知ユニットＵを漏液が発生した漏液検知ユニットＵとして特定する。
【０１５５】
なお、漏液検知ユニットＵＮｅｎｄで漏液が発生していた場合には、末端抵抗７９を含む漏液検知ユニットＵＮｅｎｄのコンダクタンスＧＮｅｎｄは、末端抵抗７９のコンダクタンスＧＥに漏液によるコンダクタンスの増加を加えたものとなる。その値は、図３５に示すＧｍと同様の大きさとなる。
【０１５６】
以上、２つの漏液検知ユニットＵで漏液が発生した場合の漏液の発生した漏液検知ユニットＵの特定動作について説明したが、３つ以上の漏液検知ユニットＵで漏液が発生した場合の特定動作も上記の特定動作と同様である。
【０１５７】
以上説明した特定動作は、入力電流値を掃引し、漏液検知ユニットＵを始端７１に接続された順に導通させて、各漏液検知ユニットＵのコンダクタンスＧを算出し、計算したコンダクタンスＧを所定の閾値と比較するので、漏液の発生した漏液検知ユニットＵを特定することができる。これにより、簡便な構成によって漏液箇所の検出信頼性を向上させることができる。
【０１５８】
また、以上の説明では、異なる２つの電流指令値に対応する２つの入力電圧値から入力電圧値の変化量ΔＶを算出することとして説明したが、始端７１の入力電流値を検出する電流センサ８２を設けて入力電流値を検出し、電流指令値に代えて電流センサ８２で検出した入力電流値を用いてもよい。この場合、入力電圧値の変化量ΔＶは、異なる２つの入力電流値に対応する２つの入力電圧値から計算される。
【０１５９】
＜断線検出動作＞
以下、図３６から３８を参照しながら、漏液検知部７０の断線検知動作について説明する。図３６に実線で示す漏液検出装置１１０は、先に図１を参照して説明した漏液検出装置１００の漏液検知ユニットＵＮｅｎｄに断線検知素子７８を接続して断線検知を行うようにしたものである。図３６に破線で示す漏液検出装置２１０は、漏液検出装置１１０の電流センサ８２に代えて電圧センサ８３を取り付けた場合を示す。なお、断線検知素子７８は抵抗器でもよいし、通電電流を一定の電流値に制限する定電流素子で構成してもよい。
【０１６０】
図３７に図３６に示す漏液検出装置１００のＶＩ特性を示す。図３７の実線に示すように、断線が発生していない場合には、入力電圧値がＶＮｅｎｄに達するまでは、入力電流値はゼロで、入力電圧値がＶＮｅｎｄを超えると断線検知素子７８に電流が流れ始め、電流値がゼロから増加する。断線が発生すると、断線検知素子７８に電流が流れないので、入力電圧値がＶＮｅｎｄを超えても入力電流値はゼロのままである。
【０１６１】
判定部９０は、始端７１に待機電圧値Ｖ０を印加し、電流センサ８２で入力電流値を検出する。図３７に示すように、断線が発生していない場合には、電流センサ８２で検出する入力電流値は、ゼロよりも大きい所定の閾値以上となっている。
【０１６２】
断線が発生すると、電流センサ８２で検出する入力電流値は、閾値よりも低いゼロとなる。このように、判定部９０は、電流センサ８２で検出した入力電流値と所定の閾値とを比較することにより断線の発生を検出する。
【０１６３】
また、図３８に示すように、待機電圧に代えて待機電流を流し、電圧センサ８３で入力電圧値を検出した場合、断線が無い場合には待機電流値Ｉ０の場合の断線検知素子７８の電圧降下をΔＶＤとして、電圧センサ８３が検出する入力電圧値は、ＶＮｅｎｄ＋ΔＶＤとなる。一方、漏液検知ユニットＵｍで断線が発生した場合には、電圧センサ８３の検出する電圧は、電源８１の最大出力電圧値Ｖｍａｘまで増加する。
【０１６４】
従って、判定部９０は、待機電流値Ｉ０を漏液検知部７０に流し、電圧センサ８３で検出した入力電圧値を初期電圧値のＶＮｅｎｄ＋ΔＶＤと比較することにより断線の発生を検出することができる。なお、ＶＮｅｎｄ＋ΔＶＤに代えて所定の閾値と比較することにより、断線の発生を検出するようにしてもよい。
【０１６５】
なお、漏液検出装置１１０，２１０では、断線検知素子７８を末端の漏液検知ユニットＵＮｅｎｄに接続することとして説明したが、これに限らず、どの漏液検知ユニットＵに断線検知素子７８を接続することとしてもよい。
【０１６６】
＜断線の発生した漏液検知ユニットの特定＞
以下、図３９から図４２を参照して断線の発生した漏液検知ユニットＵの特定について説明する。以下の説明では、漏液検知ユニットＵｍで断線が発生したとして説明する。
【０１６７】
図３９に実線で示す漏液検出装置１２０は、先に図１を参照して説明した漏液検出装置１００の各漏液検知ユニットＵの各導電線６１，６２の間にそれぞれ断線検知素子７８を接続して断線の発生した漏液検知ユニットＵの特定を行うようにしたものである。図３９に破線で示す漏液検出装置２２０は、漏液検出装置１２０の電流センサ８２に代えて電圧センサ８３を取り付けた場合を示す。なお、断線検知素子７８は抵抗器でもよいし、通電電流を一定の電流値に制限する定電流素子で構成してもよい。
【０１６８】
図３８に示すように、各漏液検知ユニットＵ１〜ＵＮｅｎｄに取り付けた断線検知素子７８のコンダクタンスは、コンダクタンスＧ１〜ＧＮｅｎｄであるとして説明する。
【０１６９】
先に説明したと同様、入力電圧値を掃引して上昇させていくと、各漏液検知ユニットＵは、入力電圧値がＶｆだけ上昇する毎に始端７１に接続された順に順次導通していく。図４０、４１に示すように、入力電圧値をＶｆまで上昇させると漏液検知ユニットＵ１が導通し、この状態で入力電圧値をΔＶだけ掃引して電流センサ８２によって検出した入力電流値に基づいて入力電流値の変化量ΔＩを算出し、ΔＩ／ΔＶにより漏液検知ユニットＵ１のコンダクタンスＧ１を算出する。ついで、入力電流値を２×Ｖｆまで上昇させて、漏液検知ユニットＵ１、Ｕ２を導通させ、この状態で入力電圧値をΔＶだけ掃引して電流センサ８２によって検出した入力電流値に基づいて入力電流値の変化量ΔＩを算出し、ΔＩ／ΔＶにより漏液検知ユニットＵ１〜Ｕ２の合計コンダクタンス［Ｇ１＋Ｇ２］を算出する。そして、［Ｇ１＋Ｇ２］からＧ１を引いてＧ２を算出する。
【０１７０】
同様に、入力電圧値を（ｍ−１）×Ｖｆから（ｍ）×Ｖｆよりも僅かに小さい値まで上昇させて、漏液検知ユニットＵ１〜Ｕｍ−１を導通させ、漏液検知ユニットＵ１〜Ｕｍ−１の合計コンダクタンス［Ｇ１＋・・・＋Ｇｍ−１］を算出し、次に、入力電圧値を（ｍ）×Ｖｆから（ｍ＋１）×Ｖｆよりも僅かに小さい値まで上昇させて、漏液検知ユニットＵ１〜Ｕｍを導通させ、漏液検知ユニットＵ１〜Ｕｍの合計コンダクタンス［Ｇ１＋・・・＋Ｇｍ］を算出し、合計コンダクタンス［Ｇ１＋・・・＋Ｇｍ］から［Ｇ１＋・・・＋Ｇｍ−１］を引いて漏液検知ユニットＵｍのコンダクタンスＧｍを算出する動作を繰り返して、各漏液検知ユニットＵ１〜ＵＮｅｎｄの各コンダクタンスＧ１〜ＧＮｅｎｄを算出していく。
【０１７１】
断線が発生していない場合には、各漏液検知ユニットＵ１〜ＵＮｅｎｄの各コンダクタンスＧ１〜ＧＮｅｎｄは、各漏液検知ユニットＵ１〜ＵＮｅｎｄに取り付けた断線検知素子７８の各コンダクタンスＧ１〜ＧＮｅｎｄとなるのでゼロにはならない。断線検知素子７８の各コンダクタンスＧ１〜ＧＮｅｎｄがＧＮで同一の場合、図４４に示すように、各漏液検知ユニットＵ１〜ＵＮｅｎｄは、全てＧＮとなる。
【０１７２】
一方、図３９に示すように、漏液検知ユニットＵｍの断線検知素子７８の始端側で断線が発生した場合、入力電圧値をＶｍ以上に上昇させても漏液検知ユニットＵｍ＋１〜ＵＮｅｎｄは通電状態とならない。この場合、図４０に破線で示すように、入力電流値は入力電圧値が大きくなるにつれて大きくなるが、ＶＩ特性傾きは一定で傾きの変化が無くなる。
【０１７３】
このため、漏液検知ユニットＵｍの断線検知素子７８の始端側で断線が発生した場合には、図４１に破線で示すように、ΔＩ／ΔＶから計算される合計コンダクタンスは［Ｇ１＋・・・＋Ｇｍ−１］一定になる。このため、図４２に示すように、漏液検知ユニットＵｍよりも末端側の漏液検知ユニットＵｍ〜ＵＮｅｎｄの各コンダクタンスＧｍ〜ＧＮｅｎｄは全てゼロと算出される。
【０１７４】
判定部９０は、先に説明したように各漏液検知ユニットＵ１〜ＵＮｅｎｄの各コンダクタンスＧ１〜ＧＮｅｎｄと所定の閾値とを比較し、コンダクタンスＧが所定の閾値よりも小さくなっている漏液検知ユニットＵのうち、一番始端側の漏液検知ユニットＵで断線が発生していると特定することができる。
【０１７５】
図３９に破線で示すように、電流センサ８２に代えて電圧センサ８３を設け、入力電流値を掃引して上昇させた場合、入力電圧値は入力電流値に応じて大きくなるので、先に述べたと同様の方法で断線の発生した漏液検知ユニットＵを特定することができる。
【０１７６】
＜他の電圧、電流掃引波形＞
先に図７を参照して説明したように、入力電圧値の掃引は入力電圧値をゼロと待機電圧値Ｖ０との間で直線的に変化するように掃引したが、これに限らず、図４３に示すように、入力電流値をＶｆずつ段階的に上昇させ、入力電圧値がｍ×Ｖｆと（ｍ＋１）×Ｖｆとの間で変動するようにして掃引するようにしてもよい。この掃引波形は、ノイズに強いという効果がある。
【０１７７】
また、入力電流値を掃引する際も図２８に示すように、入力電流値をゼロと最大電流値Ｉｍａｘとの間で直線的に変化するように掃引するのではなく、図４３に示すように段階的に入力電流値を上昇させ、各段階で入力電流を変動させるようにしてもよい。
【０１７８】
＜定電圧素子のバリエーション＞
図４４を参照しながら定電圧素子Ｄｍのバリエーションについて説明する。漏液検出装置１００、２００では、定電圧素子Ｄｍは、ツェナーダイオード１１ａ，１１ｂを逆直列に接続し、一方の接続線１２に介在するように配置されていることとして説明したが、これに限らず図４４（ａ）から図４４（ｆ）のように構成してもよい。
【０１７９】
図４４（ａ）に示すように、ツェナーダイオード１１ａ，１１ｂの接続方向を図２に示す状態と反対に逆直列に接続してもよい。また、図４４（ｂ）に示すように、図２に示す側と反対側の接続線１２に配置するようにしてもよい。更に、図４４（ｃ）、図４４（ｄ）に示すように、両方の接続線１２にそれぞれ１つずつツェナーダイオード１１ａ，１１ｂを同一方向に配置し、漏液が発生した際の電流の流れに対して２つのツェナーダイオード１１ａ，１１ｂが逆直列となるようにしてもよい。更に、図４４（ｅ）に示すように、どちらか一方の接続線１２にのみツェナーダイオード１１ａを介在して配置してもよい。この場合、電源８１は、直流電源を用いて構成してもよい。更に、ツェナーダイオード１１ａ，１１ｂを用いず、図３に示すような電圧電流特性を有する電気回路をＩＣ等で構成した定電圧素子回路２２を用いてもよい。
【０１８０】
このように、検出対象の液体に応じてノードＮＤｍの定電圧素子Ｄｍの配置を様々に変更することにより、検出対象の液体に応じた漏液検出を行うことができる。
【０１８１】
また、実施形態の漏液検出装置１００では、定電圧素子Ｄｍは、正方向の立ち上がり電圧値の絶対値と負方向の立ち上がり電圧値の絶対値とが同一のＶｆであることとして説明したが、これに限らず、図４５に示すように正方向の立ち上がり電圧値Ｖｆ１の絶対値と負方向の立ち上がり電圧値Ｖｆ２の絶対値とが異なる定電圧素子を用いてもよい。
【０１８２】
この場合、正方向の入力電流値と負方向の入力電流値とが異なるので、導電線６１，６２に電蝕が発生する場合がある。そこで、電源８１からの正方向の電流を出力する時間と負方向の電流を出力する時間を異なる長さとし、図４６に示すプラス領域の面積（左下がりハッチングで示す）とマイナス領域の面積（右下がりハッチングで示す）とを同一とする。これにより、電源８１から出力される交流電流の導電線６１，６２の正方向の通電電荷量と負方向の通電電荷量とが等しくなり、導電線６１，６２での電蝕の発生を抑制することができる。
【０１８３】
次に図４７を参照しながら他の実施形態の漏液検出装置３００について説明する。図４７は、奇数番号の漏液検知ユニットＵと偶数番号の漏液検知ユニットＵとで定電圧素子Ｄｍの配置される接続線１２を交互に配置したものである。本実施形態の漏液検出装置３００は、先に説明した漏液検出装置１００と同様の作用、効果を奏する。
【０１８４】
図４８は、他の実施形態の漏液検出装置４００を示す。漏液検出装置４００は電源８１と始端７１との間を導電線６１，６２で構成され、漏液が接触すると電流が流れる始端側漏液検知帯６６で接続したものである。
【０１８５】
本実施形態では、入力電圧値がゼロからＶｆの間で電流センサ８２で検出した電流値が所定の閾値を超えた場合には、始端７１の始端側で漏液が発生したと特定することができる。漏液検出装置４００は、漏液検出装置１００より少ない定電圧素子Ｄｍの個数で同様の作用効果を奏する。なお、漏液検知部７０を構成する漏液検知ユニットＵの数は５つに限定されず、いくつでもよく、１つでもよいし、６つ以上で構成されていてもよい。
【０１８６】
以上説明した各実施形態の漏液検出装置１００、２００、３００、４００は、簡便な構成で漏液判定の信頼性を向上させることができる。
【符号の説明】
【０１８７】
１１ａ，１１ｂ  ツェナーダイオード、１２  接続線、１３，１５  始端側端子、１４，１６  末端側端子、２２  定電圧素子回路、６０  漏液検知帯、６１，６２  導電線、６１ｅ，６２ｅ  端部、６３  絶縁被覆線、６５  漏液部分、６６  始端側漏液検知帯、７０  漏液検知部、７１  始端、７２  末端、７８  断線検知素子、７９  末端抵抗、８１  電源、８２  電流センサ、８３  電圧センサ、９０  判定部、９１  ＣＰＵ、９２  メモリ、９３  入力インターフェース、９４  出力インターフェース、９５  データバス、１００，１１０，１２０，２００，２１０，２２０，３００，４００  漏液検出装置、Ｄ，Ｄ１〜Ｄ５，Ｄｍ  定電圧素子、Ｎ  漏液検知ユニット番号、ＮＤ，ＮＤ１〜ＮＤ５，ＮＤｍ  ノード、Ｕ，Ｕ１〜ＵＮｅｎｄ，Ｕｍ  漏液検知ユニット。
【図１】
2019219351.tif 000005
【図２】
2019219351.tif 000006
【図３】
2019219351.tif 000007
【図４】
2019219351.tif 000008
【図５】
2019219351.tif 000009
【図６】
2019219351.tif 000010
【図７】
2019219351.tif 000011
【図８】
2019219351.tif 000012
【図９】
2019219351.tif 000013
【図１０】
2019219351.tif 000014
【図１１】
2019219351.tif 000015
【図１２】
2019219351.tif 000016
【図１３】
2019219351.tif 000017
【図１４】
2019219351.tif 000018
【図１５】
2019219351.tif 000019
【図１６】
2019219351.tif 000020
【図１７】
2019219351.tif 000021
【図１８】
2019219351.tif 000022
【図１９】
2019219351.tif 000023
【図２０】
2019219351.tif 000024
【図２１】
2019219351.tif 000025
【図２２】
2019219351.tif 000026
【図２３】
2019219351.tif 000027
【図２４】
2019219351.tif 000028
【図２５】
2019219351.tif 000029
【図２６】
2019219351.tif 000030
【図２７】
2019219351.tif 000031
【図２８】
2019219351.tif 000032
【図２９】
2019219351.tif 000033
【図３０】
2019219351.tif 000034
【図３１】
2019219351.tif 000035
【図３２】
2019219351.tif 000036
【図３３】
2019219351.tif 000037
【図３４】
2019219351.tif 000038
【図３５】
2019219351.tif 000039
【図３６】
2019219351.tif 000040
【図３７】
2019219351.tif 000041
【図３８】
2019219351.tif 000042
【図３９】
2019219351.tif 000043
【図４０】
2019219351.tif 000044
【図４１】
2019219351.tif 000045
【図４２】
2019219351.tif 000046
【図４３】
2019219351.tif 000047
【図４４】
2019219351.tif 000048
【図４５】
2019219351.tif 000049
【図４６】
2019219351.tif 000050
【図４７】
2019219351.tif 000051
【図４８】
2019219351.tif 000052